(57)【要約】      （修正有）【課題】スノーボードブーツの爪先の領域を固定するための変更可能なトウストラップの提供。【解決手段】選択的な調整または容易な取替えを可能にするために、第２の装着ストラップ５９は複数の開口６４を含む。装着者は利用する特定の開口を選択して第２の装着ストラップ５９を変更可能トウストラップ１０に固定することができ、こうして変更可能トウストラップの長さおよび装着ストラップの組合せを調整して変更可能トウストラップ１０の締め具合または嵌まり具合を調整できる。装着ストラップ５８および／または５９は、ビンディング６８に対する装着ストラップの選択的な調整を可能にする１つ以上の穴７２を含む。また、ビンディング６８は、やはり装着ストラップの選択的な調整を可能にするための１つ以上の穴７３を含む。【選択図】図１Ａ
0003115386.tif 000002
【実用新案登録請求の範囲】
【請求項１】
スノーボードブーツの爪先の領域を固定するための変更可能なトウストラップであって、前記ブーツの前記爪先の領域は、装着者の足の上方に位置付けられるように適合された上面と、装着者の足の下方に位置付けられるように適合された下面と、それらの間に延びて装着者の足の前に位置付けられるように適合された前壁部とを有し、前記変更可能なトウストラップは、
前記上面に合致可能であって上方への動きを阻止するように構成されるか、または、前記ブーツの前記前壁部に合致可能であって前方への動きを阻止するように構成される第１の構成と、
前記上面および前壁部の両方に合致可能であって上方への動きおよび前方への動きの両方を阻止するように構成される第２の構成とを含み、
前記トウストラップは、前記第１の構成と前記第２の構成との間で選択的に繰返し変更可能である、変更可能なトウストラップ。
【請求項２】
前記変更可能なトウストラップが前記第１の構成にあるとき、前記変更可能なトウストラップは弓形の接触面を含み、前記変更可能なトウストラップが前記第２の構成にあるとき、前記変更可能なトウストラップはカップ形の接触面を含む、請求項１に記載の変更可能なトウストラップ。
【請求項３】
前記変更可能なトウストラップが前記第１の構成にあるとき、前記変更可能なトウストラップは第１のトウストラップ部分を含み、前記変更可能なトウストラップが前記第２の構成にあるとき、前記変更可能なトウストラップは前記第１のトウストラップ部分および第２のトウストラップ部分を含み、前記第１のトウストラップ部分は、少なくとも前記ストラップが前記ブーツから離れているときに前記第１のトウストラップ部分に着脱可能に取付可能である、請求項１に記載の変更可能なトウストラップ。
【請求項４】
前記第２のトウストラップ部分は、前記第１のトウストラップ部分を着脱可能に受けるように構築および構成される少なくとも１つのポケットを含む、請求項３に記載の変更可能なトウストラップ。
【請求項５】
前記変更可能なトウストラップはさらに、前記第１のトウストラップ部分を前記第２のトウストラップ部分に取付けるように構築および構成される、工具の不要な取付要素を含む、請求項３に記載の変更可能なトウストラップ。
【請求項６】
前記変更可能なトウストラップが前記第１の構成にあるとき、前記変更可能なトウストラップは第１のトウストラップ部分を含み、前記変更可能なトウストラップが前記第２の構成にあるとき、前記変更可能なトウストラップは前記第１のトウストラップ部分および第２のトウストラップ部分を含み、前記第２のトウストラップ部分は、少なくとも前記ストラップが前記ブーツから離れているときに前記第１のトウストラップ部分に対して移動可能である、請求項１に記載の変更可能なトウストラップ。
【請求項７】
前記変更可能なトウストラップが前記第１の構成にあるとき、前記変更可能なトウストラップは第１のトウストラップ部分を含み、前記変更可能なトウストラップが前記第２の構成にあるとき、前記変更可能なトウストラップは前記第１のトウストラップ部分および第２のトウストラップ部分を含み、前記第１および第２のトウストラップ部分の少なくとも一方は弾性変形可能であって、少なくとも前記ストラップが前記ブーツから離れているときに前記第１および第２のストラップ部分が互いに移動し得るようにする、請求項１に記載の変更可能なトウストラップ。
【請求項８】
前記変更可能なトウストラップが前記第１の構成にあるとき、前記変更可能なトウストラップは第１のトウストラップ部分を含み、前記変更可能なトウストラップが前記第２の構成にあるとき、前記変更可能なトウストラップは前記第１のトウストラップ部分および第２のトウストラップ部分を含み、前記第１のトウストラップ部分は、前記第２のトウストラップ部分から延び、少なくとも前記ストラップが前記ブーツと係合しているとき、それらの間で約９０°の角度をなす、請求項２に記載の変更可能なトウストラップ。
【請求項９】
前記変更可能なトウストラップが前記第１の構成にあるとき、前記変更可能なトウストラップは第１のトウストラップ部分を含み、前記変更可能なトウストラップが前記第２の構成にあるとき、前記変更可能なトウストラップは前記第１のトウストラップ部分および第２のトウストラップ部分を含み、前記変更可能なトウストラップはさらに、前記第１のストラップ部分をスノーボードのビンディングに取付けるように適合される第１の装着ストラップを含む、請求項１に記載の変更可能なトウストラップ。
【請求項１０】
前記第１の装着ストラップに対向し、前記第１のストラップ部分をスノーボードのビンディングに取付けるように適合された第２の装着ストラップをさらに含む、請求項９に記載の変更可能なトウストラップ。
【請求項１１】
前記第１および第２の装着ストラップはいずれも、前記第１のストラップ部分に対して調節可能である、請求項１０に記載の変更可能なトウストラップ。
【請求項１２】
前記変更可能なトウストラップが前記第１の構成にあるとき、前記第１の装着ストラップは前記第１のストラップ部分の第１の側面に接続し、かつ、前記第２の装着ストラップは前記第１のストラップ部分の第２の側面に接続し、前記変更可能なトウストラップが前記第２の構成にあるとき、前記第１の装着ストラップは前記第１のストラップ部分の前記第２の側面に接続し、かつ、前記第２の装着ストラップは前記第１のストラップ部分の前記第１の側面に接続する、請求項１０に記載の変更可能なトウストラップ。
【請求項１３】
前記変更可能なトウストラップが前記第１の構成にあるとき、前記変更可能なトウストラップは第１のトウストラップ部分を含み、前記変更可能なトウストラップが前記第２の構成にあるとき、前記変更可能なトウストラップは前記第１のトウストラップ部分および第２のトウストラップ部分を含み、前記第１のストラップ部分は、前記第２のストラップ部分よりも大きな引張負荷を担うように適合される、請求項１に記載の変更可能なトウストラップ。
【請求項１４】
スノーボードのビンディングと組合せるものであり、前記ビンディングはスノーボードに装着可能なフレームを有し、前記フレームは、ヒールフープおよび装着面を有し、前記フレームは、前記スノーボードブーツを受けるように適合され、前記ストラップは、前記フレームに調節可能に装着され、前記ストラップは、前記第２の構成にあって締められると、前記ブーツを前記装着面に保持するように作用する力を前記ブーツの前記上面にかけ、前記ブーツを前記ヒールフープに向けて締付けるように作用する力を前記ブーツの前記前壁部にかける、請求項１に記載の変更可能なトウストラップ。
【請求項１５】
スノーボードブーツの爪先の領域を固定するための変更可能なトウストラップであって、前記ブーツの前記爪先の領域は、装着者の足の上方に位置付けられるように適合された上面と、装着者の足の下方に位置付けられるように適合された下面と、それらの間に延びて装着者の足の前に位置付けられるように適合された前壁部とを有し、前記変更可能なトウストラップは、
前記上面に合致可能であって上方への動きを阻止するように構成されるか、または、前記ブーツの前記前壁部に合致可能であって前方への動きを阻止するように構成される第１
の構成と、
前記上面および前壁部の両方に合致可能であって上方への動きおよび前方への動きの両方を阻止するように構成される第２の構成と、
前記第１の構成と前記第２の構成との間で前記トウストラップを選択的に繰返し変更するための手段とを含む、変更可能なトウストラップ。
【請求項１６】
前記変更可能なトウストラップが前記第１の構成にあるとき、前記変更可能なトウストラップは第１のトウストラップ部分を含み、前記変更可能なトウストラップが前記第２の構成にあるとき、前記変更可能なトウストラップは前記第１のトウストラップ部分および第２のトウストラップ部分を含み、前記第１の構成と前記第２の構成との間で前記トウストラップを選択的に変更するための前記手段は、少なくとも前記ストラップが前記ブーツから離れているときに前記第１のストラップ部分および前記第２のストラップ部分をともに取付けるための手段を含む、請求項１５に記載の変更可能なトウストラップ。
【請求項１７】
前記第１のストラップ部分および前記第２のストラップ部分をともに取付けるための前記手段は、前記第１のトウストラップ部分を着脱可能に受けるように構築および構成される少なくとも１つのポケットを含む、請求項１６に記載の変更可能なトウストラップ。
【請求項１８】
前記変更可能なトウストラップが前記第１の構成にあるとき、前記変更可能なトウストラップは第１のトウストラップ部分を含み、前記変更可能なトウストラップが前記第２の構成にあるとき、前記変更可能なトウストラップは前記第１のトウストラップ部分および第２のトウストラップ部分を含み、前記第１の構成と前記第２の構成との間で前記トウストラップを選択的に変更するための前記手段は、少なくとも前記ストラップが前記ブーツから離れているときに前記第２のストラップ部分に対して前記第１のストラップ部分を移動させるための手段を含む、請求項１５に記載の変更可能なトウストラップ。
【請求項１９】
前記変更可能なトウストラップが前記第１の構成にあるとき、前記変更可能なトウストラップは第１のトウストラップ部分を含み、前記変更可能なトウストラップが前記第２の構成にあるとき、前記変更可能なトウストラップは前記第１のトウストラップ部分および第２のトウストラップ部分を含み、前記第１の構成と前記第２の構成との間で前記トウストラップを選択的に変更するための前記手段は、少なくとも前記ストラップが前記ブーツから離れているときに前記第２のストラップ部分に対して前記第１のストラップ部分を弾性変形させるための手段を含む、請求項１５に記載の変更可能なトウストラップ。
【請求項２０】
スノーボードブーツの爪先の領域を固定するための変更可能なトウストラップであって、前記ブーツの前記爪先の領域は、装着者の足の上方に位置付けられるように適合された上面と、装着者の足の下方に位置付けられるように適合された下面と、それらの間に延びて装着者の足の前に位置付けられるように適合された前壁部とを有し、前記変更可能なトウストラップは、
前記上面または前記前壁部の一方に合致可能な第１のストラップ部分と、
前記上面または前壁部の他方に合致可能な第２のストラップ部分とを含み、
前記トウストラップは、前記第１のストラップ部分が上方への動きを阻止するか、または前方への動きを阻止するように構成される第１の構成と、前記第１および第２のストラップ部分が協働して上方への動きおよび前方への動きの両方を阻止する第２の構成との間で選択的に繰返し変更可能であり、いずれの構成においても、両方のストラップ部分が前記ブーツに合致する、変更可能なトウストラップ。
【請求項２１】
前記第１および第２のトウストラップ部分は、少なくとも前記ストラップが前記ブーツから離れているときに互いに移動可能である、請求項２０に記載の変更可能なトウストラップ。
【請求項２２】
少なくとも前記ストラップが前記ブーツから離れているときに、前記第２のストラップ部分に対する前記第１のストラップ部分の弾性変形を可能にするように構築および構成される弾性部分をさらに含む、請求項２０に記載の変更可能なトウストラップ。
【請求項２３】
スノーボードブーツの爪先の領域を固定するための変更可能なトウストラップであって、前記ブーツの前記爪先の領域は、装着者の足の上方に位置付けられるように適合された上面と、装着者の足の下方に位置付けられるように適合された下面と、それらの間に延びて装着者の足の前に位置付けられるように適合された前壁部とを有し、前記変更可能なトウストラップは、
前記上面または前記前壁部の一方に合致可能な第１のストラップ部分を含み、前記第１のストラップ部分は、噛合い係合要素と係合可能であって前記ブーツに対して前記ストラップを締め、前記変更可能なトウストラップはさらに、
前記上面または前壁部の他方に合致可能な第２のストラップ部分を含み、
前記トウストラップは、前記第１のストラップ部分が上方への動きを阻止するか、または前方への動きを阻止するように構成される第１の構成と、前記第１および第２のストラップ部分が協働して上方への動きおよび前方への動きの両方を阻止する第２の構成との間で選択的に繰返し変更可能であって、いずれの構成においても、前記第１のストラップ部分は前記ブーツに合致する、変更可能なトウストラップ。
【請求項２４】
前記第１のトウストラップ部分は、少なくとも前記ストラップが前記ブーツから離れているときに、前記第２のトウストラップ部分に着脱可能に取付可能である、請求項２３に記載の変更可能なトウストラップ。
【請求項２５】
前記第２のトウストラップ部分は少なくとも１つのポケットを含み、前記第１のトウストラップ部分は、前記少なくとも１つのポケット内に着脱可能に挿入可能である、請求項２４に記載の変更可能なトウストラップ。
【請求項２６】
前記変更可能なトウストラップはさらに、前記第１のトウストラップ部分を前記第２のトウストラップ部分に取付けるように構築および構成される、工具の不要な取付要素を含む、請求項２４に記載の変更可能なトウストラップ。
【請求項２７】
前記第２のトウストラップ部分は、少なくとも前記ストラップが前記ブーツから離れているときに、前記第１のトウストラップ部分に対して移動可能である、請求項２３に記載の変更可能なトウストラップ。
【請求項２８】
前記第１および第２のトウストラップ部分の少なくとも一方は、弾性変形可能であって、少なくとも前記ストラップが前記ブーツから離れているときに前記第１および第２のストラップ部分が互いに移動し得るようにする、請求項２３に記載の変更可能なトウストラップ。
【請求項２９】
前記ストラップが前記第１の構成にあるとき、前記第１のストラップ部分は弓形の接触面を含み、前記ストラップが前記第２の構成にあるとき、前記第１および第２のストラップ部分はともに、カップ形の接触面を含む、請求項２３に記載の変更可能なトウストラップ。
【請求項３０】
前記第１のトウストラップ部分は、前記第２のトウストラップ部分から延び、少なくとも前記ストラップが前記ブーツと係合しているとき、それらの間で約９０°の角度をなす、請求項２９に記載の変更可能なトウストラップ。
【請求項３１】
前記第１のストラップ部分をスノーボードのビンディングに取付けるように適合される第１の装着ストラップをさらに含む、請求項２３に記載の変更可能なトウストラップ。
【請求項３２】
前記第１の装着ストラップに対向し、前記第１のストラップ部分をスノーボードのビンディングに取付けるように適合された第２の装着ストラップをさらに含む、請求項３１に記載の変更可能なトウストラップ。
【請求項３３】
前記第１および第２の装着ストラップはいずれも、前記第１のストラップ部分に対して調節可能である、請求項３２に記載の変更可能なトウストラップ。
【請求項３４】
前記変更可能なトウストラップが前記第１の構成にあるとき、前記第１の装着ストラップは前記第１のストラップ部分の第１の側面に接続し、かつ、前記第１の装着ストラップは前記第１のストラップ部分の第２の側面に接続し、前記変更可能なトウストラップが前記第２の構成にあるとき、前記第１の装着ストラップは前記第１のストラップ部分の前記第２の側面に接続し、かつ、前記第２の装着ストラップは前記第１のストラップ部分の前記第１の側面に接続する、請求項３２に記載の変更可能なトウストラップ。
【請求項３５】
前記第１のストラップ部分は、前記第２のストラップ部分よりも大きな引張負荷を担うように適合される、請求項２３に記載の変更可能なトウストラップ。
【請求項３６】
スノーボードのビンディングと組合せるものであり、前記ビンディングはスノーボードに装着可能なフレームを有し、前記フレームは、ヒールフープおよび装着面を有し、前記フレームは、前記スノーボードブーツを受けるように適合され、前記ストラップは、前記フレームに調節可能に装着され、前記ストラップが前記第２の構成にあって締められると、前記ブーツを前記装着面に対して保持するように作用する力を前記ブーツの前記上面にかけ、前記ブーツを前記ヒールフープに向けて締付けるように作用する力を前記ブーツの前記前壁部にかける、請求項２３に記載の変更可能なトウストラップ。
【請求項３７】
スノーボードブーツの爪先の領域を固定するための変更可能なトウストラップであって、前記ブーツの前記爪先の領域は、装着者の足の上方に位置付けられるように適合された上面と、装着者の足の下方に位置付けられるように適合された下面と、それらの間に延びて装着者の足の前に位置付けられるように適合された前壁部とを有し、前記変更可能なトウストラップは、
前記上面または前記前壁部の一方と係合可能な第１のストラップ部分を含み、前記第１のストラップ部分の端部は、噛合い係合要素と係合可能であって前記ブーツに対して前記ストラップを締め、前記変更可能なトウストラップはさらに、
前記上面または前壁部の他方と係合可能な第２のストラップ部分を含み、
前記トウストラップは、前記第１のストラップ部分が上方への動きを阻止するか、または前方への動きを阻止するように構成される第１の構成と、前記第１および第２のストラップ部分が協働して上方への動きおよび前方への動きの両方を阻止する第２の構成との間で選択的に繰返し変更可能であり、いずれの構成においても、前記噛合い係合要素と係合可能な前記第１のストラップ部分の前記端部は、前記噛合い係合要素とアライメントされる、変更可能なトウストラップ。
【請求項３８】
前記第１のトウストラップ部分は、少なくとも前記ストラップが前記ブーツから離れているときに前記第２のトウストラップ部分に着脱可能に取付可能である、請求項３７に記載の変更可能なトウストラップ。
【請求項３９】
前記第２のトウストラップ部分は少なくとも１つのポケットを含み、前記第１のトウストラップ部分は、前記少なくとも１つのポケット内に着脱可能に挿入可能である、請求項
３８に記載の変更可能なトウストラップ。
【請求項４０】
前記変更可能なトウストラップはさらに、前記第１のトウストラップ部分を前記第２のトウストラップ部分に取付けるように構築および構成される、工具の不要な取付要素を含む、請求項３８に記載の変更可能なトウストラップ。
【請求項４１】
前記ストラップが前記第１の構成にあるとき、前記第１のストラップ部分は弓形の接触面を含み、前記ストラップが前記第２の構成にあるとき、前記第１および第２のストラップ部分はともに、カップ形の接触面を含む、請求項３７に記載の変更可能なトウストラップ。
【請求項４２】
前記第１のトウストラップ部分は、前記第２のトウストラップ部分から延び、少なくとも前記ストラップが前記ブーツと係合しているとき、それらの間で約９０°の角度をなす、請求項４１に記載の変更可能なトウストラップ。
【請求項４３】
前記第２のトウストラップ部分は、前記第１のトウストラップ部分に対して移動可能である、請求項３７に記載の変更可能なトウストラップ。
【請求項４４】
前記第１および第２のトウストラップ部分の少なくとも一方は、弾性変形可能であって、少なくとも前記ストラップが前記ブーツから離れているときに前記第１および第２のストラップ部分が互いに移動し得るようにする、請求項３７に記載の変更可能なトウストラップ。
【請求項４５】
前記第１のストラップ部分をスノーボードのビンディングに取付けるように適合される第１の装着ストラップをさらに含む、請求項３７に記載の変更可能なトウストラップ。
【請求項４６】
前記第１の装着ストラップに対向し、前記第１のストラップ部分をスノーボードのビンディングに取付けるように適合される第２の装着ストラップをさらに含む、請求項４５に記載の変更可能なトウストラップ。
【請求項４７】
前記第１および第２の装着ストラップはいずれも、前記第１のストラップ部分に対して調節可能である、請求項４６に記載の変更可能なトウストラップ。
【請求項４８】
前記変更可能なトウストラップが前記第１の構成にあるとき、前記第１の装着ストラップは前記第１のストラップ部分の第１の側面に接続し、かつ、前記第２の装着ストラップは前記第１のストラップ部分の第２の側面に接続し、前記変更可能なトウストラップが前記第２の構成にあるとき、前記第１の装着ストラップは前記第１のストラップ部分の前記第２の側面に接続し、かつ、前記第１の装着ストラップは前記第１のストラップ部分の前記第１の側面に接続する、請求項４６に記載の変更可能なトウストラップ。
【請求項４９】
前記第１のストラップ部分は、前記第２のストラップ部分よりも大きな引張負荷を担うように適合される、請求項３７に記載の変更可能なトウストラップ。
【請求項５０】
スノーボードビンディングと組合せるものであり、前記ビンディングはスノーボードに装着可能なフレームを有し、前記フレームはヒールフープおよび装着面を有し、前記フレームは、前記スノーボードブーツを受けるように適合され、前記ストラップは、前記フレームに調節可能に装着され、前記ストラップが前記第２の構成にあって締められると、前記ブーツを前記装着面に保持するように作用する力を前記ブーツの前記上面にかけ、前記ブーツを前記ヒールフープに向けて締付けるように作用する力を前記ブーツの前記前壁部にかける、請求項３７に記載の変更可能なトウストラップ。
【請求項５１】
第１のトウストラップ部分に取付けられてスノーボードブーツの爪先の領域を固定するための変更可能なストラップ部分であって、前記ブーツの前記爪先の領域は、装着者の足の上方に位置付けられるように適合された上面と、装着者の足の下方に位置付けられるように適合された下面と、それらの間に延びて装着者の足の前に位置付けられるように適合された前壁部とを有し、前記第１のトウストラップ部分は、前記上面または前壁部の一方に係合するように構築および構成され、前記変更可能なストラップ部分は、
前記上面または前壁部の他方と係合するように構築および構成される、ブーツに係合するストラップ部分と、
前記ブーツに係合するストラップ部分に結合された取付特徴とを含み、前記取付特徴は、前記ブーツに係合するストラップ部分を前記第１のトウストラップ部分で取付けるように構築および構成される、変更可能なストラップ部分。
【請求項５２】
前記取付特徴はポケットを含む、請求項５１に記載の変更可能なストラップ部分。
【請求項５３】
前記取付特徴は、第１および第２の端部領域を有する細長い部分を含み、前記ポケットは、前記第１の端部領域上に第１のポケットと、前記第２の端部領域上に第２のポケットとを含み、前記第１のポケットは、前記第１のトウストラップ部分の第１の端部を受けるように構築および構成され、前記第２のポケットは、前記第１のトウストラップ部分の第２の端部を受けるように構築および構成される、請求項５１に記載の変更可能なストラップ部分。
【請求項５４】
前記取付特徴は、前記ブーツに係合するストラップ部分を従来のトウストラップで取付けるように構築および構成される、請求項５１に記載の変更可能なストラップ部分。
【請求項５５】
第１のトウストラップ部分に取付けられてスノーボードブーツの爪先の領域を固定するための変更可能なストラップ部分であって、前記ブーツの前記爪先の領域は、装着者の足の上方に位置付けられるように適合された上面と、装着者の足の下方に位置付けられるように適合された下面と、それらの間に延びて装着者の足の前に位置付けられるように適合された前壁部とを有し、前記第１のトウストラップ部分は、前記上面または前壁部の一方に係合するように構築および構成され、前記変更可能なストラップ部分は、
前記上面または前壁部の他方に係合するように構築および構成された、ブーツに係合するストラップ部分と、
前記ブーツに係合する部分を前記第１のストラップ部分で取付けるための手段とを含む、変更可能なストラップ部分。
【請求項５６】
前記第１のトウストラップ部分と組合せるものであり、前記第１のトウストラップ部分は、前記ブーツに係合する部分を前記第１のストラップ部分で取付けるための噛合い手段を含む、請求項５５に記載の変更可能なストラップ部分。
【請求項５７】
スノーボードブーツの爪先の領域を固定するための変更可能なトウストラップであって、前記ブーツの前記爪先の領域は、装着者の足の上方に位置付けられるように適合された上面と、装着者の足の下方に位置付けられるように適合された下面と、それらの間に延びて装着者の足の前に位置付けられるように適合された前壁部とを有し、前記変更可能なトウストラップは、
前記爪先の領域の、前記上面から離れる方向における上方への動きか、または前記爪先の領域の、前記前壁部から離れる方向における前方への動きの一方を阻止するように構成される第１の構成を含み、前記ストラップは、前記第１の構成において、前記ストラップに力がかかる前に第１のプロファイルを有し、前記変更可能なトウストラップはさらに、
上方の動きおよび前方への動きの両方を阻止するように構成される第２の構成を含み、
前記ストラップは、前記第２の構成において、前記ストラップに力がかかる前に第２のプロファイルを有し、
前記第１のプロファイルは前記第２のプロファイルに比べて縮小される、変更可能なトウストラップ部分。
【請求項５８】
前記変更可能なトウストラップが前記第１の構成にあるとき、前記変更可能なトウストラップは弓形の接触面を含み、前記変更可能なトウストラップが前記第２の構成にあるとき、前記変更可能なトウストラップはカップ形の接触面を含む、請求項５７に記載の変更可能なトウストラップ。
【請求項５９】
前記変更可能なトウストラップが前記第１の構成にあるとき、前記変更可能なトウストラップは第１のトウストラップ部分を含み、前記変更可能なトウストラップが前記第２の構成にあるとき、前記変更可能なトウストラップは前記第１のトウストラップ部分および第２のトウストラップ部分を含み、前記第２のトウストラップ部分は、少なくとも前記ストラップが前記ブーツから離れているときに前記第１のトウストラップ部分に着脱可能に取付可能である、請求項５７に記載の変更可能なトウストラップ。
【請求項６０】
前記第１のトウストラップ部分は、前記第１のトウストラップ部分を着脱可能に受けるように構築および構成される少なくとも１つのポケットを含む、請求項５９に記載の変更可能なトウストラップ。
【請求項６１】
前記変更可能なトウストラップが前記第１の構成にあるとき、前記変更可能なトウストラップは第１のトウストラップ部分を含み、前記変更可能なトウストラップが前記第２の構成にあるとき、前記変更可能なトウストラップは前記第１のトウストラップ部分および第２のトウストラップ部分を含み、前記第２のトウストラップ部分は、少なくとも前記ストラップが前記ブーツから離れているときに前記第１のトウストラップ部分に対して移動可能である、請求項５７に記載の変更可能なトウストラップ。
【請求項６２】
前記変更可能なトウストラップが前記第１の構成にあるとき、前記変更可能なトウストラップは第１のトウストラップ部分を含み、前記変更可能なトウストラップが前記第２の構成にあるとき、前記変更可能なトウストラップは前記第１のトウストラップ部分および第２のトウストラップ部分を含み、前記第１および第２のトウストラップ部分の少なくとも一方は弾性変形可能であって、少なくとも前記ストラップが前記ブーツから離れているときに前記第１および第２のストラップ部分が互いに移動し得るようにする、請求項５７に記載の変更可能なトウストラップ。
【請求項６３】
前記変更可能なトウストラップが前記第１の構成にあるとき、前記変更可能なトウストラップは第１のトウストラップ部分を含み、前記変更可能なトウストラップが前記第２の構成にあるとき、前記変更可能なトウストラップは前記第１のトウストラップ部分および第２のトウストラップ部分を含み、前記第１のトウストラップ部分は、前記第２のトウストラップ部分から延び、少なくとも前記ストラップが前記ブーツと係合しているとき、それらの間で約９０°の角度をなす、請求項５８に記載の変更可能なトウストラップ。
【請求項６４】
前記変更可能なトウストラップが前記第１の構成にあるとき、前記変更可能なトウストラップは第１のトウストラップ部分を含み、前記変更可能なトウストラップが前記第２の構成にあるとき、前記変更可能なトウストラップは前記第１のトウストラップ部分および第２のトウストラップ部分を含み、前記第１のストラップ部分は、前記第２のストラップ部分よりも大きな引張負荷を担うように適合される、請求項５７に記載の変更可能なトウストラップ。
【請求項６５】
スノーボードブーツの爪先の領域を固定するための装置であって、前記ブーツの前記爪先の領域は、上面と、下面と、それらの間に延びる前壁部とを有し、前記装置は、
変更可能なトウキャップストラップを含み、前記変更可能なトウキャップストラップは、前記ブーツの前記上面を横切って延びて前記上面上にあるように、かつ、前記ブーツの前記前壁部の周囲に延びて前記前壁部上にあるように適合されることにより、前記装置がキャップストラップ構成において前記ブーツの周囲で締められたときに、前記変更可能なトウキャップストラップが前記ブーツの前記上面および前記前壁部に合致する、ほぼカップの形状と、前記ブーツの前記上面を横切って延びて前記上面上にあるように適合されることにより、前記装置がトウストラップ構成において前記ブーツの周囲で締められたときに、前記変更可能なトウキャップストラップが前記ブーツの前記上面に合致する、ほぼ弓なりの形状とを有し、前記装置は、前記ブーツの前記爪先の領域の上方への動きおよび前方への動きの両方が阻止される前記キャップストラップ構成と、前記ブーツの前記爪先の領域の上方への動きが阻止される前記トウストラップ構成との間で選択的に繰返し変更可能である、装置。
【請求項６６】
前記変更可能なトウキャップストラップは、前記ブーツの前記上面を横切って延びて前記上面上にあるように適合される第１のストラップ片と、選択的に、前記ブーツの前記上面を横切って延びて前記上面上にあるか、または前記ブーツの前記前壁部の周囲に延びて前記前壁部上にあるように適合される第２のストラップ片とを含み、前記第１および第２のストラップ片は互いに移動可能である、請求項６５に記載の装置。
【請求項６７】
前記変更可能なトウキャップストラップは、前記変更可能なトウキャップストラップを伸張および収縮させて構成間での変更を可能にするように適合される、弾性変形可能な材料を含む、請求項６５に記載の装置。
【請求項６８】
前記変更可能なトウキャップストラップは、第１のストラップ片と、前記第１のストラップ片に着脱可能に取付可能な第２のストラップ片とを含む、請求項６５に記載の装置。
【請求項６９】
前記装置が前記トウストラップ構成において前記ブーツの周囲で締められたときに、前記第１のストラップ片は、前記ブーツの前記上面を横切って延びて前記上面上にあるように適合され、前記装置が前記キャップストラップ構成において前記ブーツの周囲で締められたときに、前記第１のストラップ片は、前記ブーツの前記前壁部の周囲を延びて前記前壁部上にあるように適合され、かつ、前記第２のストラップ片は、前記ブーツの前記上面を横切って延びて前記上面上にあるように適合される、請求項６８に記載の装置。
【請求項７０】
前記変更可能なトウキャップストラップは、前記ブーツの前記上面を横切って延びて前記上面上にあるように適合される第１のストラップ片と、選択的に、前記ブーツの前記上面を横切って延びて前記上面上にあるか、または前記ブーツの前記前壁部の周囲に延びて前記前壁部上にあるように適合される第２のストラップ片とを含み、前記第１および第２のストラップ片は、互いに間隔をあけて配置される、請求項６５に記載の装置。
【請求項７１】
前記変更可能なトウキャップストラップをスノーボードのビンディングに少なくとも部分的に取付けるように適合される第１の装着ストラップをさらに含む、請求項６５に記載の装置。
【請求項７２】
前記第１の装着ストラップは、前記変更可能なトウキャップストラップと一体的に形成される、請求項７１に記載の装置。
【請求項７３】
第１の装着ストラップは、前記装着ストラップの、前記スノーボードのビンディングに対する選択的な調節用に構成される複数の孔部を含む、請求項７２に記載の装置。
【請求項７４】
前記第１の装着ストラップの余分な長さは切取られるように適合される、請求項７３に記載の装置。
【請求項７５】
スノーボードブーツの爪先の領域を固定するための装置であって、前記ブーツの前記領域は、上面と、下面と、それらの間に延びる前壁部と、前記上面および前記前壁部の間のブーツ先端とを有し、前記装置は、キャップストラップ構成とトウストラップ構成との間で選択的に繰返し変更可能であり、前記装置は、
変更可能なトウキャップストラップを含み、前記変更可能なトウキャップストラップは、前記装置が前記キャップストラップ構成にあるときに前記ブーツの前記上面、前記ブーツの前記前壁部、および前記ブーツ先端の上にあるように適合されて、前記装置が上方への動きを阻止し、かつ、前方への動きを阻止するか、または、前記装置が前記トウストラップ構成にあるときに前記ブーツの前記上面上にあるように適合されて、前記装置が上方への動きを阻止し、前記変更可能なトウキャップストラップは可撓性かつ弾性であって、前記変更可能なトウキャップストラップが前記ブーツの表面に合致するようにし、前記変更可能なトウキャップストラップは、前記装置がいずれの構成においても前記ブーツの周囲で締められたときに、前記ブーツの表面上に存在する、装置。
【請求項７６】
前記変更可能なトウキャップストラップは、前記ブーツの前記上面を横切って延びて前記上面上にあるように適合される第１のストラップ片と、選択的に、前記ブーツの前記上面を横切って延びて前記上面上にあるか、または、前記ブーツの前記前壁部の周囲に延びて前記前壁部上にあるように適合される第２のストラップ片とを含み、前記第１および第２のストラップ片は互いに移動可能である、請求項７５に記載の装置。
【請求項７７】
前記変更可能なトウキャップストラップは、前記変更可能なトウキャップストラップを伸張および収縮させて構成間での変更を可能にするように適合される、弾性変形可能な材料を含む、請求項７５に記載の装置。
【請求項７８】
前記変更可能なトウキャップストラップは、前記ブーツの前記上面を横切って延びて前記上面上にあるように適合される第１のストラップ片と、選択的に、前記ブーツの前記上面を横切って延びて前記上面上にあるか、または、前記ブーツの前記前壁部の周囲に延びて前記前壁部上にあるように適合される第２のストラップ片とを含み、前記第１および第２のストラップ片は、互いに間隔をあけて配置される、請求項７５に記載の装置。
【請求項７９】
前記変更可能なトウキャップストラップをスノーボードのビンディングに少なくとも部分的に取付けるように適合される第１の装着ストラップをさらに含む、請求項７５に記載の装置。
【請求項８０】
前記第１の装着ストラップは、前記変更可能なトウキャップストラップと一体的に形成される、請求項７９に記載の装置。
【請求項８１】
第１の装着ストラップは、前記装着ストラップの、前記スノーボードのビンディングに対する選択的な調節用に構成される複数の孔部を含む、請求項８０に記載の装置。
【請求項８２】
前記第１の装着ストラップの余分な長さは切取られるように適合される、請求項８１に記載の装置。
【請求項８３】
スノーボードブーツの爪先の領域を固定するための変更可能なトウキャップストラップであって、前記ブーツの前記爪先の領域は、上面と、下面と、それらの間に延びる前壁部と、前記上面および前記前壁部の間のブーツ先端とを有し、前記変更可能なトウキャップ
ストラップは、キャップストラップ構成とトウストラップ構成との間で選択的に繰返し変更可能であり、前記変更可能なトウキャップストラップは、
第１の表面を有する第１のストラップ片を含み、前記第１の表面は、前記トウキャップストラップが、前記トウキャップストラップ片が上方への動きを阻止するように適合される前記トウストラップ構成か、または、前記トウキャップストラップが上方への動きを阻止するように適合されかつ前方への動きを阻止するように適合される前記キャップストラップ構成のいずれかにあるときに、前記ブーツの前記上面上にありかつ前記上面に合致するように適合され、前記変更可能なトウキャップストラップはさらに、
前記第１のストラップ片に接続され、かつ、第２の表面を有する第２のストラップ片を含み、前記第２の表面は、前記トウキャップストラップが前記トウストラップ構成にあるときに前記ブーツの前記上面上にありかつ前記上面に合致するように適合され、前記トウキャップストラップが前記キャップストラップ構成にあるときに前記ブーツの前記前壁部上にありかつ前記前壁部に合致するように適合され、
前記第１のストラップ片および前記第２のストラップ片は、前記トウキャップストラップが前記トウストラップ構成にある、上面上にある位置から、前記トウキャップストラップが前記トウストラップ構成にあってかつ前記ブーツ先端が前記第１のストラップ片と前記第２のストラップ片との間に位置付けられ得る、前壁部上にある位置に、前記第２のストラップ片を変更するのに十分な領域分だけ分離されており、前記第１および第２のストラップ片を分離する前記領域は、前記トウキャップストラップが前記構成のいずれかに合致可能であるように適合される、変更可能なトウキャップストラップ。
【請求項８４】
前記領域は中央部を含み、前記第１のストラップ片は第１の幅を有し、前記第２のストラップ片は第２の幅を有し、前記第１および第２のストラップ片は、各ストラップ片の幅よりも大きな幅の分だけ前記中央部において分離される、請求項８３に記載の変更可能なトウキャップストラップ。
【請求項８５】
前記第１および第２のストラップ片は、互いに移動可能である、請求項８３に記載の変更可能なトウキャップストラップ。
【請求項８６】
前記変更可能なトウキャップストラップを伸張および収縮させて構成間での変更を可能にするように適合される、弾性変形可能な材料をさらに含む、請求項８３に記載の変更可能なトウキャップストラップ。
【請求項８７】
前記変更可能なトウキャップストラップをスノーボードのビンディングに少なくとも部分的に取付けるように適合される第１の装着ストラップをさらに含む、請求項８３に記載の変更可能なトウキャップストラップ。
【請求項８８】
前記第１の装着ストラップは、前記変更可能なトウキャップストラップと一体的に形成される、請求項８７に記載の変更可能なトウキャップストラップ。
【請求項８９】
第１の装着ストラップは、前記装着ストラップの、前記スノーボードのビンディングに対する選択的な調節用に構成される複数の孔部を含む、請求項８８に記載の変更可能なトウキャップストラップ。
【請求項９０】
前記第１の装着ストラップの余分な長さは切取られるように適合される、請求項８９に記載の変更可能なトウキャップストラップ。
【考案の詳細な説明】
【技術分野】
【０００１】
考案の背景
１．考案の分野
この考案は、スノーボードブーツに係合するためのストラップビンディングおよびストラップに関する。
【背景技術】
【０００２】
２．関連技術の説明
装着者のスノーボードブーツをスノーボードに固定するためのストラップ型ビンディングが公知であり、これらのストラップ型ビンディングは一般に、アンクルストラップおよび／またはトウストラップ等の１つ以上のストラップを含む。これらのストラップをブーツの上部を横切って徐々に締め、装着者をボードにしっかりと固定することができる。従来のトウストラップは、ブーツの上部を横切って延びる、細長く僅かに弓なりのストラップを含み、ブーツの丸くなった前端部がトウストラップの縁部を超えて突出するため、ブーツがビンディングに固定されたときに、ブーツの丸くなった前端部はトウストラップに直接接触しない。このようなトウストラップは、ブーツの上部を押さえ付け、爪先が持上がることを防止する。
【０００３】
装着者の中には、トウストラップの位置を変化させて、ストラップがブーツの上部を横切って延びるのではなく、ブーツの爪先の前面の周囲に延びるようにする人もある。トウストラップを前方および下方に摺動させることにより、トウストラップはスノーボードブーツの最も前方の面に当接し、ここでストラップを締めると、スノーボードブーツは、ビンディングのヒールカップ内に後退してしっかりと締付けられる。
【０００４】
装着者がヒールカップ内にブーツを引込むのと同時に爪先が持上がることを防止できるように、カップ状のトウストラップが開発された。これはたとえば、バーモント州バーリントン（Burlington）のバートン・スノーボーズ（Burton Snowboards）から入手可能なCapstrap（登録商標）のトウストラップである。これらのストラップは、ブーツの爪先の領域がビンディングから垂直方向に持上がることを阻止する上面と、ブーツの前方への動きを制約する前面とを含む。
【考案の開示】
【課題を解決するための手段】
【０００５】
考案の概要
一局面において、トウストラップは、爪先の持上がりまたは前方への動きが阻止される構成と、爪先の持上がりおよび前方への動きの両方が阻止される別の構成との間で繰返し変更可能である。
【０００６】
一局面に従い、スノーボードブーツの爪先の領域を固定するための変更可能なトウストラップを提供する。ブーツの爪先の領域は、装着者の足の上方に位置付けられるように適合された上面と、装着者の足の下方に位置付けられるように適合された下面と、それらの間に延びて装着者の足の前に位置付けられるように適合された前壁部とを有する。変更可能なトウストラップは、上面に合致可能であって上方への動きを阻止するように構成されるか、または、ブーツの前壁部に合致可能であって前方への動きを阻止するように構成される第１の構成と、上面および前壁部の両方に合致可能であって上方への動きおよび前方への動きの両方を阻止するように構成される第２の構成とを含む。トウストラップは、第
１の構成と第２の構成との間で選択的に繰返し変更可能である。
【０００７】
別の局面に従い、スノーボードブーツの爪先の領域を固定するための変更可能なトウストラップを提供する。ブーツの爪先の領域は、装着者の足の上方に位置付けられるように適合された上面と、装着者の足の下方に位置付けられるように適合された下面と、それらの間に延びて装着者の足の前に位置付けられるように適合された前壁部とを有する。変更可能なトウストラップは、上面に合致可能であって上方への動きを阻止するように構成されるか、または、ブーツの前壁部に合致可能であって前方への動きを阻止するように構成される第１の構成と、上面および前壁部の両方に合致可能であって上方への動きおよび前方への動きの両方を阻止するように構成される第２の構成とを含む。このストラップはさらに、第１の構成と第２の構成との間でトウストラップを選択的に繰返し変更するための手段を含む。
【０００８】
さらに別の局面に従い、スノーボードブーツの爪先の領域を固定するための変更可能なトウストラップを提供する。ブーツの爪先の領域は、装着者の足の上方に位置付けられるように適合された上面と、装着者の足の下方に位置付けられるように適合された下面と、それらの間に延びて装着者の足の前に位置付けられるように適合された前壁部とを有する。変更可能なトウストラップは、上面または前壁部の一方に合致可能な第１のストラップ部分と、上面または前壁部の他方に合致可能な第２のストラップ部分とを含む。トウストラップは、第１のストラップ部分が上方への動きを阻止するか、または前方への動きを阻止するように構成される第１の構成と、第１および第２のストラップ部分が協働して上方への動きおよび前方への動きの両方を阻止する第２の構成との間で選択的に繰返し変更可能である。いずれの構成においても、両方のストラップ部分はブーツに合致する。
【０００９】
さらに別の局面に従い、スノーボードブーツの爪先の領域を固定するための変更可能なトウストラップを提供する。ブーツの爪先の領域は、装着者の足の上方に位置付けられるように適合された上面と、装着者の足の下方に位置付けられるように適合された下面と、それらの間に延びて装着者の足の前に位置付けられるように適合された前壁部とを有する。変更可能なトウストラップは、上面または前壁部の一方に合致可能な第１のストラップ部分を含み、この第１のストラップ部分は、噛合い係合要素と係合可能であってブーツに対してストラップを締め、変更可能なトウストラップはさらに、上面または前壁部の他方に合致可能な第２のストラップ部分を含む。トウストラップは、第１のストラップ部分が上方への動きを阻止するか、または前方への動きを阻止するように構成される第１の構成と、第１および第２のストラップ部分が協働して上方への動きおよび前方への動きの両方を阻止する第２の構成との間で選択的に繰返し変更可能である。いずれの構成においても、第１のストラップ部分はブーツに合致する。
【００１０】
さらに別の局面に従い、スノーボードブーツの爪先の領域を固定するための変更可能なトウストラップを提供する。ブーツの爪先の領域は、装着者の足の上方に位置付けられるように適合された上面と、装着者の足の下方に位置付けられるように適合された下面と、それらの間に延びて装着者の足の前に位置付けられるように適合された前壁部とを有する。変更可能なトウストラップは、上面または前壁部の一方と係合可能な第１のストラップ部分を含み、この第１のストラップ部分の端部は、噛合い係合要素と係合可能であってブーツに対してストラップを締め、変更可能なトウストラップはさらに、上面または前壁部の他方と係合可能な第２のストラップ部分を含む。トウストラップは、第１のストラップ部分が上方への動きを阻止するか、または前方への動きを阻止するように構成される第１の構成と、第１および第２のストラップ部分が協働して上方への動きおよび前方への動きの両方を阻止する第２の構成との間で選択的に繰返し変更可能である。いずれの構成においても、噛合い係合要素と係合可能な第１のストラップ部分の端部は、噛合い係合要素とアライメントされる。
【００１１】
さらに別の局面に従い、ビンディングまたはビンディング境界面にスノーボードブーツの爪先の領域をストラップで選択的に固定するための方法を提供する。ブーツの爪先の領域は、装着者の足の上方に位置付けられるように適合された上面と、装着者の足の下方に位置付けられるように適合された下面と、それらの間に延びて装着者の足の前に位置付けられるように適合された前壁部とを有する。この方法は、ストラップが上方または前方への動きを阻止するように構成される第１の構成と、トウストラップが上方および前方への両方の動きを阻止するように構成される第２の構成との一方を含む所望の制約的な構成を選択する作用と、選択した構成の一方にトウストラップを変更する作用と、ブーツの爪先の領域の周囲でストラップを締めて爪先の領域をビンディングまたはビンディング境界面に固定する作用とを含む。
【００１２】
さらに別の局面に従い、第１のトウストラップ部分に取付けられてスノーボードブーツの爪先の領域を固定するための変更可能なストラップ部分を提供する。ブーツの爪先の領域は、装着者の足の上方に位置付けられるように適合された上面と、装着者の足の下方に位置付けられるように適合された下面と、それらの間に延びて装着者の足の前に位置付けられるように適合された前壁部とを有し、第１のトウストラップ部分は、上面または前壁部の一方と係合するように構築および構成される。変更可能なストラップ部分は、上面または前壁部の他方と係合するように構築および構成される、ブーツに係合するストラップ部分と、ブーツに係合するストラップ部分に結合された取付特徴とを含む。この取付特徴は、ブーツに係合するストラップ部分を第１のトウストラップ部分で取付けるように構築および構成される。
【００１３】
さらに別の局面に従い、第１のトウストラップ部分に取付けられてスノーボードブーツの爪先の領域を固定するための変更可能なストラップ部分を提供する。ブーツの爪先の領域は、装着者の足の上方に位置付けられるように適合された上面と、装着者の足の下方に位置付けられるように適合された下面と、それらの間に延びて装着者の足の前に位置付けられるように適合された前壁部とを有する。第１のトウストラップ部分は、上面または前壁部の一方に係合するように構築および構成される。変更可能なストラップ部分は、上面または前壁部の他方に係合するように構築および構成された、ブーツに係合するストラップ部分と、ブーツに係合する部分を第１のストラップ部分で取付けるための手段とを含む。
【００１４】
さらに別の局面に従い、スノーボードブーツの爪先の領域を固定するための変更可能なトウストラップを提供する。ブーツの爪先の領域は、装着者の足の上方に位置付けられるように適合された上面と、装着者の足の下方に位置付けられるように適合された下面と、それらの間に延びて装着者の足の前に位置付けられるように適合された前壁部とを有する。変更可能なトウストラップは、爪先の領域の、上面から離れる方向における上方への動きか、または爪先の領域の、前壁部から離れる方向における前方への動きの一方を阻止するように構成される第１の構成と、上方への動きおよび前方への動きの両方を阻止するように構成される第２の構成とを含む。ストラップは、第１の構成において、ストラップに力がかかる前に第１のプロファイルを有し、ストラップは、第２の構成において、ストラップに力がかかる前に第２のプロファイルを有し、第１のプロファイルは第２のプロファイルに比べて縮小される。
【００１５】
さらに別の局面に従い、スノーボードブーツの爪先の領域を固定するための装置を提供する。ブーツの爪先の領域は、上面と、下面と、それらの間に延びる前壁部とを有する。この装置は、変更可能なトウキャップストラップを含み、変更可能なトウキャップストラップは、ブーツの上面を横切って延びて上面上にあるように、かつ、ブーツの前壁部の周囲に延びて前壁部上にあるように適合されることにより、装置がキャップストラップ構成
においてブーツの周囲で締められたときに、変更可能なトウキャップストラップがブーツの上面および前壁部に合致する、ほぼカップの形状と、ブーツの上面を横切って延びて上面上にあるように適合されることにより、装置がトウストラップ構成においてブーツの周囲で締められたときに、変更可能なトウキャップストラップがブーツの上面に合致する、ほぼ弓なりの形状とを有する。この装置は、ブーツの爪先の領域の上方への動きおよび前方への動きの両方が阻止されるキャップストラップ構成と、ブーツの爪先の領域の上方への動きが阻止されるトウストラップ構成との間で選択的に繰返し変更可能である。
【００１６】
さらに別の局面に従い、スノーボードブーツの爪先の領域をビンディングまたはビンディング境界面にトウキャップストラップで固定するための方法を提供する。ブーツの爪先の領域は、上面と、下面と、それらの間に延びる前壁部とを有する。この方法は、トウキャップストラップがブーツの上面上にあるように適合されて上方への動きを阻止するように構成されたトウストラップ構成と、トウキャップストラップがブーツの上面および前壁部の上にあるように適合されて上方および前方への両方の動きを阻止するように構成されたキャップストラップ構成との一方を含む、所望の抑制的な構成をトウキャップストラップに対して選択する作用と、選択した構成の一方にトウキャップストラップを位置付ける作用と、ブーツの爪先の領域の周囲でトウキャップストラップを締める作用とを含む。
【００１７】
さらに別の局面に従い、スノーボードブーツの爪先の領域を固定するための装置を提供する。ブーツの爪先の領域は、上面と、下面と、それらの間に延びる前壁部と、上面および前壁部の間のブーツ先端とを有する。この装置は、キャップストラップ構成とトウストラップ構成との間で選択的に繰返し変更可能である。この装置は、変更可能なトウキャップストラップを含み、変更可能なトウキャップストラップは、装置がキャップストラップ構成にあるときにブーツの上面、ブーツの前壁部、およびブーツ先端の上にあるように適合されて、装置が上方への動きを阻止し、かつ、前方への動きを阻止するか、または、装置がトウストラップ構成にあるときにブーツの上面上にあるように適合されて、装置が上方への動きを阻止する。変更可能なトウキャップストラップは可撓性かつ弾性であって、変更可能なトウキャップストラップがブーツの表面に合致するようにする。変更可能なトウキャップストラップは、装置がいずれの構成においてもブーツの周囲で締められたときに、ブーツの表面上に存在する。
【００１８】
別の局面に従い、スノーボードブーツの爪先の領域を固定するための変更可能なトウキャップストラップを提供する。ブーツの爪先の領域は、上面と、下面と、それらの間に延びる前壁部と、上面および前壁部の間のブーツ先端とを有する。変更可能なトウキャップストラップは、キャップストラップ構成とトウストラップ構成との間で選択的に繰返し変更可能である。変更可能なトウキャップストラップは、第１の表面を有する第１のストラップ片を含む。第１の表面は、トウキャップストラップが、トウキャップストラップ片が上方への動きを阻止するように適合されるトウストラップ構成か、または、トウキャップストラップが上方への動きを阻止し、かつ、前方への動きを阻止するように適合されるキャップストラップ構成のいずれかにあるときに、ブーツの上面上にありかつ上面に合致するように適合される。変更可能なトウキャップストラップはまた、第１のストラップ片に接続され、かつ、第２の表面を有する第２のストラップ片を含む。第２の表面は、トウキャップストラップがトウストラップ構成にあるときにブーツの上面上にありかつ上面に合致するように適合され、トウキャップストラップがキャップストラップ構成にあるときにブーツの前壁部上にありかつ前壁部に合致するように適合される。第１のストラップ片および第２のストラップ片は、トウキャップストラップがトウストラップ構成にある、上面上にある位置から、トウキャップストラップがトウストラップ構成にあってかつブーツ先端が第１のストラップ片と第２のストラップ片との間に位置付けられ得る、前壁部上にある位置に、第２のストラップ片を変更するのに十分な領域分だけ分離される。第１および第２のストラップ片を分離する領域は、トウキャップストラップがいずれの構成にも合致
可能であるように適合される。
【００１９】
この考案のさまざまな実施例は、或る特定の利点を提供する。この考案のすべての実施例が必ずしも同じ利点を共有しているわけではなく、同じ利点を共有する実施例があらゆる状況下で同じ利点を共有し得るわけではない。
【００２０】
この考案のさらなる特徴および利点に加え、この考案のさまざまな実施例の構造を、添付の図面を参照して以下に詳細に説明する。
【００２１】
添付の図面は、縮尺通りに描かれるように意図されていない。図面では、同様の特徴が同じ参照番号により表わされる。明瞭にするため、すべての図面ですべての構成要素に符号を付しているわけではない。
【考案を実施するための最良の形態】
【００２２】
詳細な説明
変更可能トウストラップであって、トウストラップが第１の拘束構成と、この第１の拘束構成とは異なる第２の拘束構成との間で変更可能であるものが提供される。第１の拘束構成においては、変更可能トウストラップは、スノーボードブーツと係合して第１の方向（たとえば爪先の持上がり）または第２の方向（たとえば前方の動き）のいずれかでの動きを制限するような構造および配置にされる。第２の構成においては、変更可能トウストラップは両方の方向での動きを抑制するような構造および配置にされる。このようにして、スノーボードの装着者は所望の拘束位置を選択し、変更可能トウストラップを用いてトウストラップを位置付けるまたはその他で構成することにより所望の位置にブーツを固定することが可能である。さらに、装着者は望むとおりに各構成間で繰返し切換をすることが可能である。第１および第２の構成間の変更は、多種多様の異なるやり方で達成することができる。いくつかの実施例においては、変更は第１および第２のストラップ構成要素を互いに物理的に取付ける／切離すことで行なわれる。これに関連して、ストラップ構成要素は、工具に依存しない手段を用いて互いに結合することができ、これにはたとえばポケット、ボタン、スナップ、ループ、ファスナー、フックまたはその他の取付具が挙げられる。代替的には、ストラップ構成要素同士は、工具に依存した手段によって結合されてもよく、これにはねじなどが挙げられるが、この考案はこの観点で制限されない。他の実施例では、ストラップは一体の構成要素であって、一の部分を他の部分に対して相対的に動かしてストラップの形状を変化させることで変更が行なわれるようにしてもよい。さらに別の実施例では、ストラップの少なくとも一部が展性材料、たとえば弾性変形可能な材料などから形成されて、伸長／収縮することで各構成間で変更をするようにしてもよい。いくつかの実施例では、ストラップが第１の構成にあるとき、ストラップに対して力がかかる前には、ストラップが第２の構成にあるときのプロファイルと比較して縮小したプロファイルを有する。これに関連して、ストラップに負荷がかかっておらず、第１の構成のとき、ストラップは細長くわずかに弓なりな従来のトウストラップと類似する。ストラップに負荷がかかっておらず、ストラップが第２の拡張したプロファイル構成にあるとき、ストラップはカップ状の表面を含む。
【００２３】
１以上の実施例において、変更を行なうには、ストラップをブーツおよび／またはビンディングから取外し、ストラップを新たな構成に変更し、それからストラップをブーツと再係合させる。これに代えて、ストラップはブーツおよび／またはビンディング上になおある間に各構成間で変更されるようにしてもよい。
【００２４】
なお、第１の構成から第２の構成にストラップを変更するにはどのような方法または構成を用いてもよく、この考案はこの観点で制限されることを意図しない。
【００２５】
変更可能トウストラップおよび／またはその各構成要素は、剛性であって、これらが上に置かれるスノーボードブーツの表面に合致した形状にされても、可撓性であって、当該変更可能トウストラップが締められた際にブーツの表面に合致するよう弾力的であっても、またはその他任意の好適な構造のものであってもよい。トウストラップをブーツに合致するような構造にすることにはいつくかの利点がある。たとえば、ブーツの頂部および／または前壁部にわたり比較的滑らかに移行することでブーツの表面およびストラップ間の隙間をなくすまたは少なくとも最小化することが可能である。装着者の足に対する圧力点もまた減少またはなくすことができる。また、このように合致可能であることは、装着要素（たとえばバックルおよび／または爪車の舌）近くでストラップの端部をストラップの残りの部分と整列したままにすることの助けとなり、こうして、ストラップがねじれてビンディング上の噛み合い係合要素と整列しなくなるなどのことの可能性が減少する。上記のように整列しなくなると、たとえば、バックルおよび爪車の舌の歯間のバックル負荷が非対称となって爪車の舌の表面において係合する部分が表面全体未満となるおそれがあり、これにより損傷が生じたりまたはその他でストラップを締めることのできる量が減少したりし、かつ／または負荷の高いときにストラップが滑り落ちるおそれがある。なお、上記の各利点は単に例示のものであり、いずれのストラップ実現例についても、その１以上が存在しなくてもよい。
【００２６】
いくつかの実施例においては、ストラップの一部はプラスチックまたはその他好適な材料からあらゆる所望の形状に成形されるようにしてもよい。これに代えて、一部が革、擬似革、繊維もしくはその他好適な材料またはこれらの任意の組合せから形成されて所望の形状に縫い合わされまたは接着されるようにしてもよい。
【００２７】
さらに、ストラップのうちの或る部分を他の部分よりも強くかつ／または堅くしてもよい。これは、締められたときにストラップの或る部分が他の部分よりも多くの引張負荷を担うことがあるため望ましいと考えられる。これを実現するには、単一の比較的強い層または同じもしくは異なる材料の多数層で部分を形成して所望の強さ特性を持たせることができる。また、強化用の挿入物を用いてもよい。
【００２８】
この変更可能トウストラップは多数の用途のいずれで用いてもよく、これにはスノーボードブーツに直接取付けられたストラップとして、スノーボードビンディングにブーツを少なくとも部分的に固定するためのストラップとして、またはビンディング境界面にブーツを少なくとも部分的に固定するためのストラップとして使用することが含まれる。
【００２９】
説明のための一実施例に従う変更可能トウストラップ１０を図１Ａ，１Ｂおよび図２Ａ〜２Ｄに示す。図１Ａ，１Ｂに示すように、変更可能トウストラップは、ブーツ１８の上方向（Ａ）の動きを抑制して爪先の持上がりを制限する第１のブーツ係合構成（図１Ｂ）と、ブーツ１８の前方向（Ｂ）および上方向（Ａ）の両方の動きを抑制する第２のブーツ係合構成（図１Ａ）との間で変更をすることができる。変更可能トウストラップ１０は、第２のトウストラップ部分８に選択的に取付可能な第１のトウストラップ部分１２で形成される。第１のトウストラップ部分１２は、細長でわずかに弓なりになった従来のトウストラップと類似の態様で構成され、第１のブーツ係合構成で用いられるときにブーツにおける甲の領域の前方でブーツ１８の頂面１６と係合することのできる表面を含む。ストラップは締められるとブーツ１８の頂面１６に対して下方向の力を及ぼし、これは爪先の持上がりに抵抗するよう働く。
【００３０】
第２のストラップ部分８は、トウストラップ１０の第２の構成での使用時に用いられる。これに関連して、第２のストラップ部分８は、第１のストラップ部分１２と結合して双方が協働してブーツの前方頂部と係合しこれを下に保持し、ブーツを踵の方向に締付けるように設計される。第２の部分８は上側のブーツ係合部分または壁１４を含む。上側部分
１４は、ブーツ１８のうち着用者の爪先の上に来る頂面１６と係合するように設計され、ブーツ底２２に対し略平行である。ここでは、第１のストラップ部分１２は、頂面１６と下面２２（たとえば靴底）間に延びるブーツの正面または前壁部２４と係合するように位置付けられる。ストラップ１０は締められたときにブーツの頂面１６に対し、さらにはブーツ１８の前壁部２４に対して下方向の力を及ぼす。一実施例では、前壁部２４に加えられる力は頂面１６に加えられる力よりも大きい。
【００３１】
第１のストラップ部分と第２のトラップ部分とを互いに取付けるために、一実施例では、第２のストラップ部分は、前方にあって下方に延び上側部分１４に結合された取付部分１５を含む。図２Ａに示すように、取付部分１５は、第１のストラップ部分１２の端部を受けるための少なくとも１つのポケット、好ましくは両端に２つのポケット２８，２９を含む。この実施例では、ストラップは、好適な装着ストラップおよび爪車バックルを用いてバックルをトウストラップに固定させることで調整可能に締められる。したがって、この実施例でストラップを第２の構成に変更するために、第１のストラップ部分を緩めて装着ストラップから切離し、バックルから外す。次に、第１のストラップ部分の端部を、第２のストラップ部分における下方に延びる部分の端部に形成されたポケットの中に挿入する。バックルおよびストラップをもう一度第１のストラップ部分の端部に取付け、第１のストラップ部分が（頂面１６に代えて）前壁部２４と係合し第２のストラップ部分８が頂面１６と係合するようにストラップを位置付ける。次にストラップを調整可能にビンディングに装着することができ、そして締めると、ブーツは後方に締付けられかつ下方に保持され、こうして爪先の持上がりおよび前方の動きの両方が拘束される。
【００３２】
第１のストラップ部分を第２のストラップ部分に取付けたときにストラップおよびバックルへの第１のストラップ部分の端部の取付に対応するために、ポケットを通して開口を形成してもよい。これに代えて、ポケットについて、バックルおよびストラップの取付を妨害しないが第１のストラップ部分の端部と係合して第１のストラップ部分に掴みを得るようなサイズおよび形状としてもよく、この場合、バックルおよび／または装着ストラップが変更中に取付けられたままにすることができる。
【００３３】
なお、この考案は、第２のストラップ部分がブーツの頂面に係合する一方で第１のストラップ部分をブーツの頂部における位置からブーツの前壁部に係合する位置に位置付けし直すことに限定されない。すなわち、別の実施例（図示せず）においては、第１のトウストラップ部分１２は、トウストラップがいずれの構成にあってもブーツの頂面に係合する位置を維持するようにしてもよい。この実施例においては、その状態で、第２のトウストラップ部分を第１のストラップ部分に取付けて第２のストラップ部分を前壁部に係合させる。こうして、爪先の持上がりおよび前方の動きがなお抑制されながら、この実施例においては２つのストラップ部分の有する役割は逆になっている。
【００３４】
次に、第２のトウストラップ部分８の構造について図２Ａ〜２Ｄを参照してより詳細に説明する。ストラップ部分８の上側部分１４は、図２Ｃの断面図に示すように、前方端縁１７、後方端縁１９、下面３３および頂面４１を含む。ブーツ１８との係合時には下面３３はブーツ１８の頂面１６と隣接して位置付けられる。前方端縁１７は第２のトウストラップ部分８の最も外側の部分であり、これはブーツ４４の爪先領域に位置付けられたとき（図１Ａを参照）、ブーツ１８の踵４０から最も遠く位置する。後方端縁１９は、第２のトウストラップ部分８の最も内側の部分であり、これはブーツの爪先領域に位置付けられたときにブーツの踵４０に最も近く位置する。
【００３５】
図２Ａ〜２Ｄに示す実施例では、取付部分１５は、上側端縁２１、下側端縁２３、後面４５および前面５３を含む。前面５３および後面４５は、ブーツ１８の前壁部２４の形状に近似する側部から側部への方向で湾曲するようにしてもよい。上側端縁２１は取付部分
１５の最も上の部分であり、これはブーツ１８の前壁部２４上に位置付けられたときにスノーボード５２またはビンディング６８の底部８９（図１Ａ）から最も遠く位置する。下側端縁２３は取付部分１５の最も下の部分であり、これはブーツ１８の前壁部２４上に位置付けられたときにスノーボード５２またはビンディング底部８９に最も近く位置する。
【００３６】
上述のように、取付部分１５は上側部分１４から前方および下方に延びる。一実施例では、図２Ｄに示すように、上側端縁２１は上面１４の前方端縁１７と縫い合わされるが、その他あらゆる好適な取付手法を採用してもよく、この考案はこの観点で制限されない。たとえば、上側部分１４および取付部分１５は一体の構成要素であってもよい。
【００３７】
取付部分１５が上側部分１４から延びる態様は、後面４５が上側部分１４の下面３３から或る角度４２で延びてカップ状の形状をなすようなものとする。一実施例においては、角度４２を１８０°未満とする。別の実施例では、角度４２をおよそ９０°とするが、これはブーツ１８の前壁部２４がブーツ１８の先端４４でブーツ１８の頂面１６に対して略垂直な場合に有利であると考えられる。一実施例では取付部分１５は上側部分１４から略垂直に延びるが、この考案はこの観点で制限されず、上方および前方の動きに同時に抵抗するのに好適であれば第２のトウストラップ部分に対する取付部分の相対的な配向はどのようなものを用いてもよい。また、角度４２は、所望の締め具合やブーツ保持の程度、またはたとえばブーツの先端の形状および構成、先端４４に隣接するブーツ１８の頂面１６と前壁部２４との間の角度などに依存し得る。他の実施例では、角度４２は５０°から１４０°の間の任意の角度とすることができる。取付部分および／またはストラップ８に対する相対的な上側部分の位置はまた、ブーツに対して相対的にストラップ１０を位置付ける助けとして働くことができる。この関連で、装着者は、上側部分１４がブーツの頂部にあるようにストラップ１０を位置付けるだけでよく、取付部分および／またはストラップ８は所望の位置でブーツと整列することになる。
【００３８】
図２Ａ〜２Ｄの実施例に示すように、第２のトウストラップ部分８の安定性を向上させる助けとして、材料の中間部分４６がポケット２８，２９間に延びる。この中間部分は、第２の構成にあるときにトウストラップの前方の延長の限界となるような形状とすることができる。たとえば、図２Ａに示す実施例では、中間部分４６の下側部分から半円形状の材料部分を除去する。図２Ｃの実施例でわかるように、領域３５は、材料の一部分が取除かれた領域４３よりも前方に延びている。中間部分をこのような形状にすることで、装着者の感じる全体的な爪先の抗力を減少させることができ、さらに、ポケット２８，２９の中に第１のトウストラップ部分を挿入するときに柔軟性を向上させることができる。しかしながら、この考案はこの観点で限定されず、中間部分はあらゆる好適な構成へと形状付けることができると認識されたい。
【００３９】
図２Ａで最もよく示されるように、一実施例では、第２のトウストラップ部分１４は略三角形の形状として、該三角形の底辺（ｂ）が約５インチの長さで該三角形の各辺（ｓ）が約３〜３  １／２インチとすることができる。三角形の頂点はごく小さな半径（ｒ１）を含んでもよく、一実施例ではこの半径は約１  １／２インチである。取付部分１５は、三角形の部分１４の辺に亘り、およそ１  ３／４インチの高さ（ｈ）を有する。ポケットはおよそ１  １／２インチの長さ（ｌ）にわたって延びるようにすることができる。取除く材料の領域が半円形である結果として、およそ１  １／２インチの湾曲半径（ｒ２）を有する円弧状の領域が得られる。なお、上記した各大きさは例示のものにすぎず、すべての実施例がこれと同様のサイズとなるわけではない。たとえば、第２の構成にあるとき、取付部分１５の形状は、四角形、帯状、三角形またはその他任意の形状とすることができ、取付部分１５を、ブーツ１８の前壁部２４の湾曲を補完するように湾曲させてもよい。上側部分１４の形状は、三角形、半円形、三日月状またはその他任意の形状とすることができ、上側部分１４を平坦としてもまたは湾曲させてもよく、さらにブーツの頂面１６の
表面の特徴を補完させてもよい。さらに、上側部分は、上側および下側の革状の層間に挟まれた比較的堅い材料（たとえば帯状のＰＶＣ）で形成することができる。取付部分１５は、より堅い第１のトウストラップ部分１２の挿入に対応できるように曲がって屈曲できるよう革、繊維またはその他より柔らかい材料から形成することができる。
【００４０】
次に、第１のトウストラップ部分１２の構造についてさらに図２Ａ〜２Ｄならびに図４および図４Ａを参照してより詳細に説明する。図４および図４Ａに示すように、第１のトウストラップ部分１２は、凹状端縁３２、凸状端縁３４、下面３６および頂面３８を含むようにすることができる。ブーツ１８との係合時に下面３６はブーツ１８の頂面１６と隣接して実質的に整列するように位置する。凸状端縁３４は、第１のトウストラップ部分１２の最も外側の部分であり、これは変更可能トウストラップ１０が第１の構成にあるときにブーツ１８の踵４０から最も遠く位置する。凹状端縁３２は第１のトウストラップ部分１２の最も内側の部分であり、これは変更可能トウストラップ１０が第１の構成に位置付けられたときにブーツ１８の踵４０に最も近く位置する。
【００４１】
なお、ストラップを湾曲したものとすると、たとえば快適さの向上、圧力点の減少および美観といったいくつかの利点を得ることができるが、この考案はこの関連で限定されず、逆の形状の湾曲（たとえば凸状端縁３４を凹状端縁３２よりもブーツ１８の踵４０に近くする）を採用しても、または全く湾曲のないものを採用してもよい。
【００４２】
端縁の湾曲に加えて、ストラップの表面３６，３８を、ブーツ１８の頂面１６の形状に近似するように弓なりにすることができる。一実施例では、第１のトウストラップ部分１２の下面３６を凹状とする一方で頂面３８を凸状としてもよい。しかしながら、ストラップはどのような弓なりの形状を有しても、または全く弓なりでなくてもよく、この変更可能トウストラップはこの観点で制限されないと理解されたい。
【００４３】
一実施例では、平坦にされたとき、第１のトウストラップ部分１２はわずかに円弧形状とされ、ブーツ１８の頂部にわたって延びるのに十分な長さとする。一実施例では、ストラップ部分１２の長さはおよそ６  １／２インチとし、幅はおよそ１  １／２インチとする。第１のトウストラップ部分は、特に第２のトウストラップ部分と協働するような構造とすることができるが、この考案はこの観点で制限されず、従来のトウストラップが採用されてここに記載の第２のストラップ部分についての１以上の実施例と協働するようにしてもよい。
【００４４】
一実施例では、第１のストラップ部分１２は第２のストラップ部分８の上側部分１４よりも強く、相対的に厚い断面を有する。このことは、第２の構成にあるとき、主ににストラップ１２でビンディングとストラップ１０とが結合することに少なくとも部分的に起因して締め負荷のほとんどがストラップ部分１２を通って伝達されることから、有利であると考えられる。他方、上側部分１４は、ストラップ１０を締めたときに比較的少ない負荷を受ける。上側部分１４はより少ない負荷を担うが、一実施例では上側部分１４は伸長不可能であり、これが受ける力の量は上側部分１４を通じて伝達可能である。さらにストラップ１２は、一実施例では、相対的に多くの詰め物を有し、上側部分１４はより少ない。このことは、装着者が受けることになる圧力のほとんどが、上側部分１４に対する力でなく第１のストラップ部分１２に対して加えられる力の結果であることから、有利であると考えられる。このように詰め物を比較的多くすることで装着者の感じる不快さの減少を助けることができる。
【００４５】
なお、この考案は、上述の特定の実施例には限定されず、あらゆる好適な形状、サイズおよび／または材料、あるいはあらゆる好適な形状、サイズおよび／または材料の組合せ、が採用可能である。
【００４６】
上述のように、第１のストラップ部分１２および第２のストラップ部分８は、第２のストラップ部分上に形成されて第１のストラップ部分の端部が挿入されるポケットを用いて繋ぎ合わせることができる。しかしながら、この考案はこの観点で制限されず、２つのストラップ部分同士を結合する他の手段を用いてもよいと理解されたい。このような手段の具体例には、ファスナー、スナップ、ボタン、フック、ループ、フープおよびループ留め具たとえばベルクロ（Velcro）（登録商標）、タブ、輪ゴム、ねじ、これらの任意の組合せ、またはその他任意の取付具を用いることが含まれ、第１のトウストラップ部分を第２のトウストラップ部分に取付けることができる限りどのような形状または配向であってもよい。さらに、上述のように、第１および第２の構成間の変更はさまざまな仕方で実現することができる。以下、これらの手法のうちいくつかを組込むストラップの実施例について説明を行なう。
【００４７】
図３Ａに示す一実施例では、変更可能トウストラップ１００は第１のトウストラップ部分１０２および第２のトウストラップ部分１０４を含む。これら２つの部分同士はファスナーを用いて互いに取付けることができる。この関連で、第１のファスナー半体１０７が第１のストラップ部分１０２の上側部分に形成または縫い合わされ、第２のファスナー半体１０６が第２のストラップ部分１０４の前方部分に形成または縫い合わされる。
【００４８】
第２の構成においては、図示のように、第１のトウストラップ部分１０２のファスナー歯１０７と、第２のトウストラップ部分１０４のファスナー歯１０６とが閉じ合わされてカップ状のトウストラップとなる。続いてストラップをブーツまわりに締めることにより、爪先の端部をビンディングで下方および後方に保持する。変更可能トウストラップ１００を第１の構成に変更するには、上記２つの部分同士を開いてストラップ部分１０２を（図示しない装着ストラップおよびバックルにより）所望の場所に置いてブーツに対して締める（たとえばブーツの爪先を下方に押す、または爪先をビンディングの中に引戻す）。
【００４９】
ファスナーの使用に加えまたはこれに代えて、図３Ｂおよび図３Ｃに示す実施例に示すように、第１のトウストラップ部分を第２のトウストラップ部分に取付けるためにボタンまたはスナップを用いてもよい。図３Ｂに示す実施例では、変更可能トウストラップ１２０は、ボタン１２８が上に装着された第１のトウストラップ部分１２２を含む。第２のトウストラップ部分１２４は、ボタン１２８を受けて第１のトウストラップ部分１２２を第２のトウストラップ部分１２４に接続するためのボタン穴１３０を含み、これを用いて変更可能トウストラップ１２０を第１の構成と第２の構成との間で変更する。ボタンおよびボタン穴の配置は、図３Ｂに示すように、ストラップ１２０の上側領域にあるように位置付けてもよい。これに代えて、ボタンおよびボタン穴の配置は、図３Ｃに示すようにストラップの前方領域にあるように位置付けてもよい。なお、ボタンおよびボタン穴の場所は逆にしてもよく、たとえばボタンを第２のストラップ部分上に形成してボタン穴を第１のストラップ部分上に形成してもよく、この考案はこの観点で制限されない。さらに、図中においては２つのストラップ部分を合わせて保持するボタン５つが示されているが、この考案はこの観点で制限されず、これより多くまたは少なく用いてもよい。さらに、いくつかのボタン穴およびいくつかのボタンを一方のストラップ部分に位置付ける一方で、対応のボタンおよび穴を他方のストラップ部分に位置付けてもよく、たとえば交替するパターンでもよい。
【００５０】
別の実施例では、ボタンおよび／またはボタン穴は、第１および第２のいずれか（または両方）のストラップ部分のフラップの延びる部分に位置付けられる。このような実施例を図３Ｃに示し、ここではボタン穴は第２のストラップ部分から延びるフラップ１４５に形成される。
【００５１】
図３Ｄ〜Ｆに示す実施例におけるようにボタンまたはスナップを別の取付具と組合せて用いてもよい。図３Ｄおよび図３Ｅに示す実施例においては、変更可能トウストラップは第１のトウストラップ部分１６２および第２のトウストラップ部分１６３を含む。第２のトウストラップ部分１６３は上側のブーツ係合部分１６４および取付部分１６５を含み、これはその下側端縁に位置するフック１６６の形をとる。スナップまたはスナップ受け１６８が取付部分１６５の上側端縁１７１に位置付けられ得る。対応のスナップ受けまたはスナップ１６８は第１のトウストラップ部分１６２の上側端縁１６９に位置付けられ得る。
【００５２】
変更可能トウストラップ１６０を第２の構成に変更するには、第１のトウストラップ部分１６２の下側端縁１６１をフック１６６に挿入すればよい。挿入されると、これら２つのストラップ部分同士はスナップ／受け１６８を介して互いにぱちんと留まってストラップ部分１６２，１６３同士を固定する。
【００５３】
図３Ｆに示す実施例では、変更可能ストラップ部分１８０は第１のトウストラップ部分１８２および第２のトウストラップ部分１８３を含む。第２のトウストラップ部分１８３はブーツ係合領域１８４および取付部分１８５を含み、これは取付部分１８５の下側端縁１８１においてフック１８６を含む。取付部分１８５はさらに、取付部分１８５の上側端縁１９１に位置するストッパ１８７と、フラップを介して取付部分１８５の上側端縁１９１から下方に延びるスナップ１８８とを含むことができる。第１のトウストラップ部分１８２は、スナップ１８８を挿入することのできるスナップ受けを含んでもよい。
【００５４】
変更可能トウストラップ１８０を第２の構成に変更する際、第１のトウストラップ部分１８２は第２のストラップ部分１８３のフック１８６にフック留めすることができる。第１のトウストラップ部分１８２をさらに拘束するために、ストッパ１８７は、第１のトウストラップ部分１８２が上方へ滑ってフック１８６から外れることを防ぐことができる。スナップ１８８を第１のトウストラップ部分１８２上のスナップ受け内に挿入することで第１のトウストラップ部分１８２を変更可能ストラップ部分１８３にさらに固定することができる。
【００５５】
図３Ｆに示す実施例と同様、図３Ｇに示す実施例の変更可能トウストラップ２００は、第１のトウストラップ部分２０２と、ブーツ係合領域２０４を有する第２のトウストラップ部分２０３と、取付部分２０５とを含む。取付部分２０５は、取付部分２０５の下側端縁２０１に位置するフック２０６と、取付部分２０５の第１の端部２１１および第２の端部２１３にそれぞれ位置するタブ２０８，２１０を含むことができる。第１のトウストラップ部分２０８は、第２の端部２１３にあって、タブ２１０を受けるような構造および配置にされたスロット２１２を含んでもよい。
【００５６】
変更可能トウストラップ２００を第２の構成に変更するには、第１のトウストラップ部分２０２は第２のトウストラップ部分２０３のフック２０６の中にフック留めすることができる。次に、第１のトウストラップ部分２０２をタブで固定することができる。タブ２０８が第１のトウストラップ部分２０２の正面を包み込むようにし、かつ／またはタブ２１０が第１のトウストラップ部分２０２を包み込んでそのスロット２１２の中に押込まれるようにすることができる。これに加え、タブを固定するために好適なロック要素を用いてもよい。
【００５７】
図３Ｈの実施例に示す変更可能トウストラップ２２０は、第１のトウストラップ部分２２２と、上側ブーツ係合部分２２４および取付部分２２５を有する第２のストラップ部分２２３を含む。取付部分は第１のトウストラップ部分２２２を包み込むまたはこれを取囲むことができる。具体的には、取付部分は、第２のストラップ部分２２３の下側端縁２２
７から延びる底部フラップ２２６と、第２のストラップ部分２２３の上側端縁２３１から延びる頂部フラップ２２８とを含むことができる。一実施例では、底部フラップ２２６を上側フラップ２２８に対してあらゆる好適な手段、たとえばボタン２３０で取付けることができる（スナップ、フックおよびループ固定具ならびにその他の閉じる手段を用いてもよいことは言うまでもなく、この考案はこの観点で制限されない）。別の実施例（図示せず）においては、底部および上部フラップを偏らせて、閉じた重なる位置を保持することもでき、この考案はこの観点で制限されない。
【００５８】
変更可能トウストラップ２２０を第２の構成に変更するには、フラップ２２６，２２８を開け、第１のトウストラップ部分２２２を開いたフラップ２２６，２２８および取付部分２２５間に置いてフラップ２２６，２２８を閉じ第１のトウストラップ部分２２２を取り囲ませるようにすることができる。これに加え、またはこれに代えて、第１のトウストラップ部分２２２は、フラップが閉じている間に側方からフラップと取付部分２２５との間の空間内にスライドさせることができる。
【００５９】
図３Ｈのオムツ状のフラップ実施例に加え、取付部分は、ストラップの一方または両方の端部にあって第１のトウストラップ部分をさらに固定するためのポケットを含んでもよい。図３Ｉの実施例に示すように、変更可能トウストラップ２４０は、第１のトウストラップ部分２４２と、上側のブーツ係合ストラップ部分２４４および取付部分２４５を有する第２のストラップ部分２４３とを含むことができる。取付部分２４５は２つの端部ポケット２４８および中心ループ２４６を含んでもよく、これは開いた下側の端部を有しても有さなくてもよい。
【００６０】
変更可能トウストラップ２４０を第２の構成に変更するには、第１のトウストラップ部分２４２を取付部分２４５の２つの端部ポケット２４８の中にスライドしてから中心ループ２４６を第１のトウストラップ部分２４２まわりに回して第１のトウストラップ部分２４２を変更可能ストラップ部分２４３に対してさらに固定することができる。これに代えて、中心ループがその下側端部で取付けられる別の実施例では、第１のストラップ部分の一端は中心ループを通って１つのポケットの中へスライドされる。次に、第１のストラップ部分における他方の端部を他方のポケットの中にスライドさせる。
【００６１】
変更可能トウストラップはループを有さなくてもよく、第１のトウストラップ部分は、図３Ｊ（図２Ａ〜２Ｄを参照して上述した各実施例と類似）の実施例に示すように、ポケットのみによって第２のトウストラップ部分に固定されるようにしてもよい。この実施例では、変更可能トウストラップ２６０は、第１のトウストラップ部分２６２と、ブーツ係合部分２６４および取付部分２６５を有する第２のストラップ部分２６３とを含む。取付部分２６５は２つの端部ポケット２６８を含むことができる。一実施例では、ポケット２６８は、上述の実施例（図３Ｉ）のポケット２４８よりも大きな領域にわたって延びることができるが、それはポケット２６８が、ループ２４６といった別の取付手段の支援なしに第１のトウストラップ部分２６２を第２のトウストラップ部分２６４に固定することを意図しているからである。
【００６２】
第１のトウストラップ部分は、装着ストラップおよび／または爪車バックルを取付けるための穴２７０またはスロット２７２，２７４を含むことができる。第１のストラップ部分におけるこれら穴／スロットを露出するために、ポケット２６８は中に開口部２７１，２７３，２７５を含んでもよい。
【００６３】
いくつかの実施例においては、第１のトウストラップ部分の挿入に対応するのに十分な弾性または展性を有する可撓性の変更可能ストラップ部分とすることができる。図３Ｋおよび図３Ｌに示す実施例においては、変更可能ストラップ部分２８３を第１のトウストラ
ップ部分２８２まわりに巡らせてこれを中に収めるようにすることができる。一実施例では、変更可能トウストラップ２８０は、第１のトウストラップ部分２８２と、ブーツ係合トウストラップ部分２８４および取付部分２８５を有する第２のストラップ部分２８３とを含む。変更可能ストラップ部分２８３の取付部分２８５は、射出成形プラスチックといった比較的可撓性の低い材料から形成されてもよく、切抜部２８６または穴を含んで可撓性を増大させることによって、取付部分２８５が第１のトウストラップ部分２８２の挿入を許すのに十分変形することを可能にするようにしてもよい。
【００６４】
上述のように従来のトウストラップが収容可能であり得る変更可能トウストラップとは対照的に、いくつかの実施例には、図３Ｍおよび図３Ｎの実施例で示すような別の特定の変更可能トウストラップ部分との合致のみをもたらす、変更可能トウストラップ部分の１つにある特定の特徴部を設けることができる。変更可能トウストラップ３００は、第１のトウストラップ部分３０２と、ブーツ係合部分３０４および取付部分３０５を含む第２のストラップ部分３０３とを含むことができる。取付部分３０５は突出部またはプラグ３０６を有することができ、これは、正面トウストラップ部分３０２上に位置する穴３０８に嵌まって変更可能トウストラップ部分同士を接続するような構造および配置にすることができる。プラグ３０６は、図３Ｍの実施例に示すような矩形でなくてもよく、あらゆる形状を有することができ、この考案はこの観点で限定されない。
【００６５】
図３Ｎに示す実施例では、変更可能トウストラップ３２０は第１のトウストラップ部分３２２および第２のトウストラップ部分３２３を含む。第１のトウストラップ部分３２２は、その側端縁３２７および／または底端縁３２９に位置する溝３２６を含むことができる。第２のストラップ部分３２３は、ブーツ係合ストラップ部分３２４および取付部分３２５を含むことができる。取付部分３２５は、第１のトウストラップ部分３２２の端縁３２７，３２９上の溝３２６に直接スライドするような構造および配置とすることができる。これらの溝は、単体で（たとえばスナップ嵌め関係）または他の取付手法または手段、たとえばねじなどとともに、第１のトウストラップ部分３２２と第２のトウストラップ部分３２４とを接続する。
【００６６】
図３Ｏに示す実施例では、変更可能トウストラップ３４０は、第１のトウストラップ部分３４２と、ブーツ係合ストラップ部分３４４および取付部分３４５を有する第２のストラップ部分３４３とを含む。取付部分３４５は、１つ以上のねじ山を付けたねじ穴といった固定穴３４６を含むことができ、これは第１のトウストラップ部分３４２上に位置する垂直方向に間隔をあけた１つ以上の固定穴３４８と整列されてもよい。ねじ（図示せず）を穴３４６，３４８内にねじ止めしてねじ回しといった工具を用いて固定することができる。装着者は、ねじと整列させる好適な穴を選択することで、第１のストラップ部分３４２に対して第２のストラップ部分３４３の高さ（ｈ）を相対的に調整することができる。
【００６７】
図３Ｐに示す別の実施例では、変更可能トウストラップ３６０は、第１のトウストラップ部分３６２と、カップ状の形状をしてブーツ係合片３６４および取付部分３６５を有する第２のストラップ部分３６３とを含む。この実施例では、取付部分３６５はブーツ係合片３６４よりも高い可撓性を有する。取付部分３６５は、第１のトウストラップ部分３６２の挿入を受入れるような構造および配置にされた開口部（図示せず）を有するポケットとして形成されてもよい。変更可能トウストラップ３６０を第２の構成に変更するには、第１のトウストラップ部分３６２を取付部分３６５内に挿入することができ、こうすれば、変更可能ストラップ部分３６３におけるブーツの前壁部との係合に適合された部分の強さおよび耐久性を増加させ、こうして変更可能トウストラップ３６０で前方向および上方向の両方の動きを抑制することが可能となる。
【００６８】
図３Ｑの実施例は一体型の変更可能トウストラップ３８０を示し、これは第１の部分３
８２と、矢印で示すように変更可能トウストラップ３８０の第１の部分３８２内に折畳み可能な可動の第２の部分３８４とを有する。可動部分３８４は、点３８６まわりに旋回するような構造および配置にされてもよく、図示のように開いた位置（たとえば第２の構成）へと偏らせてブーツを下方に保持するように働かせることができる。ストラップを閉じた位置（たとえば第１の構成）に維持するには、可動部分３８４は、アーム３８９で形成される中心上の手段などによって第１の部分にパチンと留めることができる。ストラップをその他任意の仕方で閉じたまま保持してもよいことはいうまでもなく、この考案はこの態様で限定されることを意図していない。図３Ｒに示す実施例で示すように、変更可能トウストラップ３８０の可動部分３８４は、端縁３８９と係合するフック３８８を含んでストラップを閉じたままにする助けとしてもよい。
【００６９】
可動のストラップ部分に向けられた別の実施例を図３Ｓに示す。この実施例では、変更可能トウストラップ４００は、第１の部分４０２と、第１の部分４０２まわりで旋回するような構造および配置にされた可動部分または中心フラップ４０４とを含む。変更可能トウストラップ４００を開または第２の構成（図示のとおり）から閉または第１の構成（図示せず）に変更するために、中心フラップ４０４を下方に旋回させることができる。可動部分４０４を第２の構成に維持するために、ストッパ（図示せず）を採用してもよい。また、可動部分４０４を閉じたまま保持するためにスナップ嵌め関係を採用してもよい。
【００７０】
図３Ｔの実施例に示すように、変更可能トウストラップ４２０は第１の部分４２２および可動部分４２４を含む。可動部分は、裂開部４３０で隔てられた２つのフラップ４２５を含むことができる。変更可能トウストラップ４２０が第１の構成にあるとき、可動部分４２４は、裂開部４３０で分離して２つの間隔をあけたフラップ４２５を生じさせるような構造および配置にされる。これらフラップ４２５は第１の部分４２２の上に折畳まれても、またはブーツの表面に当るように位置付けられてもよい。変更可能トウストラップ４２０を第２の構成に変更したとき、フラップ同士は再び一緒になって、スナップ、ボタン、ファスナーまたはその他あらゆる取付手段（図示せず）で繋ぎ合わせることができ、この考案はこの観点で限定されることを意図しない。
【００７１】
図３Ｕ〜３Ｗの実施例で示すように、変更可能トウストラップ４２０は第１の部分４２２および可動部分４２４を含むことができ、これは少なくとも部分的に間に弾性部分４２６を含んでもよい。弾性部分４２６は、図３Ｖの実施例に示すように第１の部分４２２の上に下方に折畳まれる可撓性を可動部分４２４に与えることができる。弾性部分は、変更可能トウストラップ４２０に沿った任意の場所に構成可能であり、たとえば（図３Ｕの実施例に示すように）頂部分の側部上、（図３Ｗの実施例に示すように）頂部分に沿った別個の各位置、頂部および正面の部分間の接続領域沿い、ストラップの材料内に一体化、または頂部分４２４が前方部分４２２上に折畳まれ得る限り任意の場所とすることができ、この考案はこの観点で限定されることを意図しない。
【００７２】
なお、変更可能トウストラップのいずれの実施例におけるいずれの他の部分が、穴、スロットおよび／またはその他接近が有用であろういずれの特徴部への接近を邪魔する場合にも、ポケットまたは変更可能トウストラップの別の部分に対応の開口部を設けることによって、上記穴、スロットおよび／またはその他の特徴部への接近を可能にしてもよい。さらに、変更可能トウストラップのいずれにおける邪魔な部分が、邪魔される特徴部に類似の態様で働くことのできるねじ山付穴（図示せず）といった代替特徴部を含んでもよい。
【００７３】
図３Ｘに示す一実施例では、第１の部分４４２および／または第２の部分４４４は、構成間での変更を可能にするように伸長することができる。一実施例では、変更可能トウストラップ４４０のうち少なくとも一部分は弾性または可撓性の材料で形成され、このため
第１の部分４４２および／または第２の部分４４４が動くことができる。一実施例では、第１および第２の構成の両方において、後方のストラップ部分４４４はブーツの頂面まわりを延びるような構造および配置にされ得る。第１の構成にあるとき、前方部分４４２が収縮した構成にあるようにすることができ、前方部分４４２はブーツの頂面まわりを延びるだけでよく、これによりトウストラップとして働いて爪先の持上がりを抑制することができる。第２の構成にあるとき、前方部分４４２を下方および前方に動かしてブーツの先端まわりに到達させ、ブーツの前壁部まわりを延びるようにすることができる。
【００７４】
一実施例では、ストラップ４４０の構造、特にストラップ開口部４４６の形状によって、前方ストラップ部分が第２の構成へと動くことが可能となる。一実施例では、中心部分における開口部の幅（ｗ１）は、各々のストラップ部分の幅（ｗ２，ｗ３）よりも大きい。別の実施例では、材料は上記動きを可能にするのに十分な弾性を有する。弾性領域は前方ストラップ部分４４２自体を含んでも、またはストラップ部分４４４に繋がるところで側部に制限されてもよい。
【００７５】
ほとんどの実施例において、ストラップはひとりでに偏ることで、外部からの影響なしに第１および第２の構成の両方を維持することになるが、いくつかの実施例では、ストラップは、一方または両方の構成を維持するために、ブーツの形状またはビンディングへの固定といった支援を必要とする場合もあり、この考案はこの観点で限定されることを意図しない。
【００７６】
なお、変更可能トウストラップは上述の実施例には限定されず、変更についてのどのような構成および／または配置を有してもよい。さらに、変更可能トウストラップは、構成２つに限定される必要はない。変更可能トウストラップは、第１の構成から第２の構成そして第３の構成へ変更してもよい。
【００７７】
一実施例では、変更可能トウストラップまたはその一部は詰め物を含むが、これはすべての実施例について必要なものではない。詰め物（図示せず）は、採用された場合、たとえば内側表面上に配置されてもよく、その場合、快適さを増大させたり、または変更可能トウストラップを締めたときにブーツの先端により加わる圧力を減少させたりできる。詰め物は任意の材料を含むことができ、これにはたとえば発泡材、流体充填室たとえば空気またはジェルポケット、追加の繊維層、革層もしくはプラスチック層、またはその他あらゆる好適な詰め物材料が挙げられる。詰め物に加えて、ストラップは、ブーツまわりの位置にストラップを保持する助けとして１つ以上の表面（たとえば下側、ブーツの方を向く表面）に掴み材料を含んでもよい。
【００７８】
これに代えて、またはこれに加え、一実施例では、変更可能トウストラップには、装着者の足の敏感な領域または圧力点の上に位置するように設計されて、圧力を軽減して変更可能トウストラップの快適さをさらに増大させるための開口部または逃げ切抜部（図示せず）を設けてもよい。一実施例では、これら開口部は完全な切抜部であり、このため敏感な領域の上には材料が全くなく、変更可能トウストラップには穴が存在することになる。別の実施例で、逃げ切抜部は、変更可能トウストラップの領域であって、変更可能トウストラップの他の領域よりも小さい厚みの材料を有するが完全には除去されない領域である。たとえば、逃げ切抜領域は、１層の材料を含む厚みを有するようにしてもよく、これに対して変更可能トウストラップの残りの部分は追加の材料層から形成される増大した厚みを有することになる。
【００７９】
これに加えまたはこれに代えて、ストラップの一部のサイズまたは厚みを減少させて空気または雪の抵抗または抗力を減少させることができる。上述のように、そして図２Ａ〜２Ｄの実施例で示すように、第２のトウストラップ部分の中心部分の一部を切取って爪先
の抗力を減少させることができる。
【００８０】
次に、噛合い構成要素、たとえばビンディング、ビンディング境界面またはブーツに対する変更可能ストラップの取付けについて説明する。なお、この取付けの配置については図１Ａ，１Ｂ，４を参照して説明するが、この配置はいずれのストラップ実施例に用いてもよい。一実施例では、変更可能トウストラップ１０は、一端に装着された爪車バックル５６と、対向する端部に配置された固定具（図１Ａ，４に示す）とを含む。第１の装着ストラップ５８（係合ストラップまたは爪車舌とも呼ぶ）および第２の装着ストラップを変更可能トウストラップ１０とともに用いてストラップ（たとえばスノーボードビンディングの底部に）取付けることができる。図１Ｂに示す実施例においては、第１の装着ストラップ５８は爪車バックル５６と係合する鋸歯部分６０を含む。第２の装着ストラップは、固定具によって変更可能トウストラップ１０における対向する端部に固定することができる。変更可能トウストラップ１０に対向する第１および第２のストラップの端部は固定具６２によりビンディングに固定可能である。
【００８１】
一実施例では、爪車バックル５６は装着ストラップ５８上の歯６０と係合可能であり、このため装着者は、ストラップ５８を爪車バックル５６に差込んだりここから引出したりすることによって変更可能トウストラップ１０の締め具合のきつさと緩さとを選択的に調整することが可能となる。ストラップ５８が受けられて下方に引かれた後、変更可能トウストラップ１０はブーツ１８の爪先領域の方へ引かれることでブーツ先端を下方および後方に保持し、こうしてブーツ１８の踵４０はビンディングの踵フープ５４内に置かれる。代替的な実施例では、装着ストラップ５８は変更可能トウストラップ１０の側部に固定され、つめ車バックルはビンディングに取付けられる。
【００８２】
なお、この考案は、変更可能トウストラップ１０をビンディングに取付けるためのどの特定の配置にも限定されず、ここに開示されたもの以外の好適な配置手法が採用可能である。たとえば、変更可能トウストラップは、ケーブルまたはレースなどを用いてビンディングに間接的に取付けられても、またはＴナットおよびボルト固定具といった適当な固定具を用いてビンディングに直接固定されてもよい。
【００８３】
図１Ａおよび図４の実施例に示すようにさらに選択的な調整または容易な取替えを可能にするために、一実施例では、第２の装着ストラップ５９は複数の開口６４を含むことができる。装着者は利用する特定の開口を選択して第２の装着ストラップ５９を変更可能トウストラップ１０に固定することができ、こうして変更可能トウストラップの長さおよび装着ストラップの組合せを調整して変更可能トウストラップ１０の締め具合または嵌まり具合を調整することができる。このようにして、装着ストラップ５９は変更可能トウストラップ１０に対して相対的にスライド可能である。一実施例では、ねじ６５が変更可能トウストラップ１０を通って延び、Ｔナットまたはその他の固定係合具が変更可能トウストラップ１０にある穴６６内または装着ストラップ５９の開口６４の１つの中に設けられてねじ６５の係合を可能にしてもよい。なお、この考案は、ねじ、Ｔナットまたはその他いずれの固定具の使用にも限定されず、装着ストラップ５９をビンディング底板６８および／または変更可能トウストラップ１０に対して調整可能、取外し可能または固定式に留めるためのあらゆる好適な手法が採用可能である。さらに、装着ストラップ５９は変更可能トウストラップ１０と一体的に形成されてもよい。
【００８４】
変更可能トウストラップ１０は、ポケット７０、ループ、チャネルまたはその他変更可能トウストラップ１０に装着ストラップ５９の自由端を保持するための手段を含むことができ、その例が共通譲渡された米国特許第６，０５６，０３０号に記載されている。上記特許はこれによりその全体において引用により援用される。一実施例では、スリット７１が第２のトウストラップ片８の中に形成されて、第１のトウストラップ片１２の中に形成
されたポケット７０への接近を可能にする（たとえば図１Ａを参照）。しかしながら、この考案はこの観点で限定されず、ポケットはその他の好適な場所に形成されても、または全く形成されなくてもよい。
【００８５】
装着ストラップ５８および／または５９は、ビンディング６８に対する装着ストラップの選択的な調整を可能にする１つ以上の穴７２（たとえば図１Ａを参照）を含むことができる。また、ビンディング６８は、やはり装着ストラップの選択的な調整を可能にするための１つ以上の穴７３を含むことができる。装着ストラップについての、ビンディングを超えて延びる余分な長さはいずれも切落としたり、押込んだり、折畳んだり、またはその他あらゆる所望の仕方もしくは位置で修正もしくは配向付けることができる。この考案はこの観点で限定されず、調整は一端でのみ行なわれる場合もある。これに代えて調整が全く用いられなくてもよい。
【００８６】
その他にも装着ストラップをビンディングに取付けるための好適な機構が採用可能であり、この考案はこの観点で限定されない。たとえば、工具に依存しないストラップ取付手段、たとえば共通譲渡された米国特許第６，４１６，０７５号に記載のものを採用してもよい。上記特許はこれによりその全体において本願明細書に引用により援用される。
【００８７】
ビンディングに対する変更可能トウストラップ１０の相対的な配向のため、一実施例では、装着ストラップ５９は予め成形された曲がりまたは湾曲を有してもよい。たとえば、共通に所有される、２００３年１２月４日出願の米国特許出願第１０／７２８，３７３号に記載の曲がりまたは湾曲装着ストラップを採用してもよく、上記特許出願はこれによりその全体において本願明細書に引用により援用される。図２Ａの実施例からわかるように、装着ストラップ５９は曲がった部分を含み、これによってストラップおよびビンディング間のより効率的な力の伝達を可能にすることができる。この考案は曲り部を有する装着ストラップを含むことに限定されないことは言うまでもない。
【００８８】
なお、変更可能トウストラップ１０をビンディング６８、ブーツ１８、スノーボードまたはビンディング境界面に取付けるあらゆる配置または方法が採用可能であり、この考案はいずれの特定の取付手段に限定されない。
【００８９】
上述のように、第１のトウストラップ部分１２の凹状端縁３２をブーツ１８の踵４０にもっと近く位置付けることによっていくつかの利点を得ることができる。変更可能トウストラップを第２の構成から第１の構成に変更する１つの方法には、第１の構成では右足のビンディングに取付けられていた第１のトウストラップ部分１２を左足のビンディングに切換えることが含まれ得る。一実施例においては、図１Ａ，１Ｂに示すように、第１のトウストラップ部分１２が第２の構成（図１Ａ）にあるとき、凹状端縁３２は凸状端縁３４よりもブーツ１８の下面２２にもっと近くある。装着ストラップ５８，５９、およびいくつかの実施例では爪車バックル５６は、変更可能トウストラップ１０から切離されて第２のストラップ部分８を取外すようにすることができ、こうして変更可能トウストラップ１０が第１の構成に変更される。装着ストラップが第１のトウストラップ部分１２に再接続されたとき、凹状端縁３２は凸状端縁３４よりもブーツ１８の踵４０からもっと遠くなる。この構成でもなお爪先の持上がりを防ぎビンディング内にブーツを拘束するが、第１のトウストラップ部分１２を、（図１Ａの実施例に示すように）左足での第２の構成から（図１Ｂの実施例に示すように）右足での第１の構成に切換えることが好ましいと考えられる。したがって、第１のトウストラップ部分１２の湾曲は、ブーツの爪先および／または足首の湾曲と協働し、凹状端縁３２は図示のようにブーツ踵にもっと近くなる。
【００９０】
これに代えて、同じビンディングでの装着ストラップ５８，５９を切換えることによって湾曲を維持してもよい。多くの装着者にとって、ビンディングの外側端縁にある爪車バ
ックルといった調整可能なバックルがあることが好まれる（たとえば右足での爪車バックルはビンディングの右側に、そして左足での爪車バックルはビンディングの左側にある）が、爪車バックル５６により受けられるべき歯６０を有する装着ストラップ５８がビンディングの内側端縁に切換えられた場合、第１のトウストラップ部分１２を１８０°引っくり返すだけで、好みの湾曲配置で取付け直すことができる。
【００９１】
別の実施例では、そして図５の実施例に示されるように、変更可能トウストラップは２つの別個のストラップ片（たとえば第２のストラップ８４に接続されていない第１のストラップ８２）を含んでもよい。第１の構成では、両方のストラップ８２，８４はブーツ１８（図示せず）の頂面１６上に位置付けられ、第２のストラップ８４はビンディング６８から取外され、第２のストラップ８４はブーツ１８より下方で下面２２近くまたはこれに接して位置付けられ、かつ／または第２のストラップ８４は緩められまたはその他で調整されて、前方向の動きを抑制するためにブーツ１８の前壁部２４に対する通常の力を与えないようにすることができる。第２の構成では、ストラップ８２，８４は、第１のストラップ８２が頂面１６と接触して爪先の持上がりに対する抵抗をもたらし、第２のストラップ８４がブーツ１８の前壁部２４と接触してブーツ１８の前方向の動きに対する抵抗をもたらすように位置付けられ得る。第２の構成（図５の実施例に示す）から第１の構成（図示せず）に変更をするために、第２のストラップ８４は、支点、たとえばねじ７４、ねじ７５またはその他任意の点、のまわりで上方に回転されたり、第２のストラップ８４が弾性または可撓性材料を含む場合にはたとえば伸長されたり、または他の仕方で動かされたりするようにしてもよく、この考案はこの観点で限定されることを意図しない。
【００９２】
独立したストラップ部分調整およびより個人に合わせた嵌まり具合を可能にするために、一実施例においては、変更可能トウストラップ１０は、一端で変更可能トウストラップ１０の側部に接続され他端でビンディング６８の側部に接続される２つの別個の装着ストラップ８３，８５を含むことができる。ビンディングにおける対向する側部に別個の装着ストラップを採用してもよい。
【００９３】
これに代えて、構成要素および接続部の数を減らすために、変更可能トウストラップ１０を変更可能トウストラップの片側または両側で単一の装着ストラップ８６（図５Ａを参照）でビンディング６８に繋ぎ合わせてもよい。単一の装着ストラップ８４は、ビンディング６８に対する単一の接続点８６Ａを有し、それから２つの部分８６Ｂ，８６Ｃへと枝分かれして、その一方が第１のストラップ８２に接続し他方が第２のストラップ８４に接続するようにしてもよい。
【００９４】
さらに、上述の実施例のうちいずれもビンディング６８と組合せて用いてもよいと理解されたい。ビンディング６８は、スノーボード５２（図４の実施例に示す）に装着可能なフレーム８８を含むことができる。フレーム８８は、長さ方向９０と、スノーボード５２と略平行に延びる装着表面９１を規定する底部８９とを有する。フレーム８８はスノーボードブーツ１８を受けるように設計することができる。フレームは踵フープ５４を含むことができる。フレーム８８の後方部分にはアンクルストラップ９２を取付け、フレーム８８にはハイバック９３を装着して踵フープ５４（図５の実施例に示す）の中に入れ子状にしてもよい。
【００９５】
一般的に、あらゆる通常の力とともに、結果としての摩擦力が上記通常の力を横切るように生じ得ると理解されたい。たとえば、図１Ａ，１Ｂに示すように、変更可能トウストラップ１０がブーツ１８の頂面１６と係合するように設計されている場合、変更可能トウストラップ１０はブーツ１８の頂面１６に通常の力を及ぼすことになる。これに加えて、摩擦力（上記通常の力の百分率であり、ブーツ１８の頂面１６および変更可能トウストラップ１０の各材料の関数である）が、横切る方向の動きに抵抗するよう働くことになる。
【００９６】
この考案は、本願明細書に記載のどの実施例にも限定されず、本願明細書に記載された１以上の特徴点（またはその他の好適な特徴点）を用いた他の好適な実施例がこの変更可能トウストラップでまたはこれとともに用いられ得ると理解されたい。
【００９７】
以上、変更可能トウストラップについてのいくつかの実施例を記載したが、当業者であればさまざまな変更、変形および改良が容易に想到し得る。このような変形、変更および改良はこの考案の意味および範囲内に属すると意図される。したがって、以上の記載は単に例示としてであって限定として意図したものではない。この考案は、前掲の実用新案登録請求の範囲およびその均等物で画定されるようにのみ限定される。
【図面の簡単な説明】
【００９８】
【図１Ａ】スノーボードビンディングに取付けられスノーボードブーツの一部と係合する一方の構成での変更可能トウストラップの側面図である。
【図１Ｂ】他方の構成での変更可能トウストラップの側面図である。
【図２Ａ】変更可能トウストラップの一実施例の斜視図である。
【図２Ｂ】図２Ａの変更可能トウストラップの破断図である。
【図２Ｃ】図２Ａの変更可能トウストラップを図２Ａの線２Ｃ−２Ｃに沿って切って見た断面図である。
【図２Ｄ】図２Ｂの変更可能トウストラップの一部を図２Ｂの線２Ｄ−２Ｄに沿って切って見た断面図である。
【図３Ａ】変更可能トウストラップの一実施例の斜視図である。
【図３Ｂ】変更可能トウストラップの別の実施例の斜視図である。
【図３Ｃ】変更可能トウストラップの別の実施例の斜視図である。
【図３Ｄ】変更可能トウストラップの別の実施例の斜視図である。
【図３Ｅ】図３Ｄの線３Ｅ−３Ｅに沿って切って見た断面図である。
【図３Ｆ】変更可能トウストラップの別の実施例の斜視図である。
【図３Ｇ】変更可能トウストラップの別の実施例の斜視図である。
【図３Ｈ】変更可能トウストラップの別の実施例の斜視図である。
【図３Ｉ】変更可能トウストラップの別の実施例の斜視図である。
【図３Ｊ】変更可能トウストラップの別の実施例の斜視図である。
【図３Ｋ】変更可能トウストラップの別の実施例の斜視図である。
【図３Ｌ】変更可能トウストラップの別の実施例の斜視図である。
【図３Ｍ】変更可能トウストラップの別の実施例の斜視図である。
【図３Ｎ】変更可能トウストラップの別の実施例の破断図である。
【図３Ｏ】変更可能トウストラップの別の実施例の斜視図である。
【図３Ｐ】変更可能トウストラップの別の実施例の斜視図である。
【図３Ｑ】変更可能トウストラップの別の実施例の斜視図である。
【図３Ｒ】変更可能トウストラップの別の実施例の斜視図である。
【図３Ｓ】変更可能トウストラップの別の実施例の斜視図である。
【図３Ｔ】変更可能トウストラップの別の実施例の斜視図である。
【図３Ｕ】第２の構成における変更可能トウストラップの別の実施例の斜視図である。
【図３Ｖ】図３Ｕの変更可能トウストラップの第１の構成における斜視図である。
【図３Ｗ】変更可能トウストラップの別の実施例の斜視図である。
【図３Ｘ】変更可能トウストラップの別の実施例の斜視図である。
【図４】変更可能トウストラップの別の実施例であって、スノーボードに装着されたビンディングに取付けられスノーボードブーツの一部と係合するものの斜視図である。
【図４Ａ】図４の変更可能トウストラップを図４の線４Ａ−４Ａに沿って切って見た断面図である。
【図５】変更可能トウストラップの別の実施例であって、ビンディングに取付けられスノーボードブーツと係合するものの側面図である。
【図５Ａ】代替的な装着ストラップの側面図である。
【符号の説明】
【００９９】
８  第２のトウストラップ部分、１２  第１のトウストラップ部分、１８  ブーツ。
【図１Ａ】
0003115386.tif 000003
【図１Ｂ】
0003115386.tif 000004
【図２Ａ】
0003115386.tif 000005
【図２Ｂ】
0003115386.tif 000006
【図２Ｃ】
0003115386.tif 000007
【図２Ｄ】
0003115386.tif 000008
【図３Ａ】
0003115386.tif 000009
【図３Ｂ】
0003115386.tif 000010
【図３Ｃ】
0003115386.tif 000011
【図３Ｄ】
0003115386.tif 000012
【図３Ｅ】
0003115386.tif 000013
【図３Ｆ】
0003115386.tif 000014
【図３Ｇ】
0003115386.tif 000015
【図３Ｈ】
0003115386.tif 000016
【図３Ｉ】
0003115386.tif 000017
【図３Ｊ】
0003115386.tif 000018
【図３Ｋ】
0003115386.tif 000019
【図３Ｌ】
0003115386.tif 000020
【図３Ｍ】
0003115386.tif 000021
【図３Ｎ】
0003115386.tif 000022
【図３Ｏ】
0003115386.tif 000023
【図３Ｐ】
0003115386.tif 000024
【図３Ｑ】
0003115386.tif 000025
【図３Ｒ】
0003115386.tif 000026
【図３Ｓ】
0003115386.tif 000027
【図３Ｔ】
0003115386.tif 000028
【図３Ｕ】
0003115386.tif 000029
【図３Ｖ】
0003115386.tif 000030
【図３Ｗ】
0003115386.tif 000031
【図３Ｘ】
0003115386.tif 000032
【図４】
0003115386.tif 000033
【図４Ａ】
0003115386.tif 000034
【図５】
0003115386.tif 000035
【図５Ａ】
0003115386.tif 000036